(57)【要約】１台以上の通信デバイスと通信するように構成され、無線通信ネットワークの一部を構成するインフラ機器を操作する方法は、無線アクセスインターフェースを介して送信するためのダウンリンク信号を形成することを含む。上記無線アクセスインターフェースは、周波数次元でリソース要素を含み、上記リソース要素の各々は、直交周波数分割多重、OFDMシンボルのサブキャリアを伝送するためのものであり、上記リソース要素は、周波数次元でリソース要素の複数のブロックに形成され、時間次元で上記無線アクセスインターフェースは、複数の時間単位に分割され、上記時間単位の各々は、複数のOFDMシンボルを伝送するためのものである。上記時間単位は、例えば、上記無線アクセスインターフェースのサブフレームである。上記ダウンリンク信号の形成では、一連のコンポーネント信号から複数のコンポーネント信号を選択することを含む。上記一連のコンポーネント信号の各コンポーネント信号は、上記複数のOFDMシンボルによる、上記リソース要素の上記ブロックの１つ、および、時間単位の１つから形成され、各コンポーネント信号は、狭帯域幅受信機で検出可能であり、上記複数のコンポーネント信号の各々について、上記リソース要素の上記複数のブロックの１つおよび上記時間単位の１つ以上を選択して、上記コンポーネント信号を送信する。一連の信号サンプルは、例えば、無線アクセスインターフェースのリソース要素の１つのブロックにおけるOFDMシンボルの数によって運搬されるZadoff-Chu系列から形成された、狭帯域の、モノのインターネットのウェイクアップ信号（NB-IoT WUS）である。一例において、上記複数のコンポーネント信号を使用して、１つがeMTCデバイスに使用される可能性がある、広帯域幅のウェイクアップ信号を形成することができる。【選択図】図８
2021514155.tif 000002
【特許請求の範囲】
【請求項１】
１台以上の通信デバイスと通信するための無線通信ネットワークの一部を構成するインフラ機器を操作する方法であって、
１台の通信デバイスに情報を提供するために、ダウンリンク信号が前記通信デバイスに送信される必要があることを判定することと、
無線アクセスインターフェースを介して送信するための前記ダウンリンク信号を形成することと、
前記インフラ機器から前記通信デバイスへ前記ダウンリンク信号を送信することと、
を含み、
前記無線アクセスインターフェースは、周波数次元でリソース要素を含み、前記リソース要素の各々は、直交周波数分割多重、OFDMシンボルのサブキャリアを伝送するためのものであり、前記リソース要素は、周波数次元でリソース要素の複数のブロックに形成され、時間次元で前記無線アクセスインターフェースは、複数の時間単位に分割され、前記時間単位の各々は、複数のOFDMシンボルを伝送するためのものであり、
前記ダウンリンク信号を形成するときに、
一連のコンポーネント信号から複数のコンポーネント信号を選択することと、
前記複数のコンポーネント信号の各々について、前記リソース要素の前記ブロックの１つおよび前記時間単位の１つを選択して、前記コンポーネント信号を送信し、前記インフラ機器から前記通信デバイスに前記ダウンリンク信号を送信することと、
前記リソース要素の選択されたブロック内の選択された複数のコンポーネント信号を、広帯域幅の信号として送信することとを含み、
前記一連のコンポーネント信号の各コンポーネント信号は、前記複数のOFDMシンボルによる、前記リソース要素の前記ブロックの１つ、および、時間単位の１つから形成され、各コンポーネント信号は、狭帯域幅受信機で検出可能である
方法。
【請求項２】
請求項１に記載の方法であって、
前記無線アクセスインターフェースの前記リソース要素のブロックにおいて送信される、前記一連のコンポーネント信号からの複数のコンポーネント信号から形成される、少なくとも１つの他の信号からの同一チャネル干渉を低減するように、
前記一連のコンポーネント信号から選択される複数のコンポーネント信号と、この複数のコンポーネント信号を送信するための、対応する前記リソース要素の複数のブロックおよび時間単位の１つ以上との一方または両方が選択される
方法。
【請求項３】
請求項２に記載の方法であって、
前記インフラ機器から前記通信デバイスへ前記ダウンリンク信号を送信するときに、
前記インフラ機器によって形成される前記無線通信ネットワークの第１のセル内で動作する前記通信デバイスに、前記ダウンリンク信号を送信することを含み、
前記第１のセルは、前記少なくとも１つの他の信号が送信される他のインフラ機器によって形成される第２のセルとは異なる
方法。
【請求項４】
請求項２に記載の方法であって、
前記インフラ機器から前記通信デバイスへ前記ダウンリンク信号を送信するときに、
前記インフラ機器によって形成され、前記少なくとも１つの他の信号が送信される前記無線通信ネットワークの１つのセル内で動作する前記通信デバイスに、前記ダウンリンク信号を送信することを含み、
前記ダウンリンク信号が送信される前記通信デバイスは、第１のグループの通信デバイスの一部を形成し、その他の信号が、他のグループの通信デバイスを形成する１つ以上の通信デバイスに送信される
方法。
【請求項５】
請求項２に記載の方法であって、
前記複数のコンポーネント信号の各々について、前記リソース要素の複数のブロックおよび時間単位の１つを選択して、前記コンポーネント信号を送信し、
前記少なくとも１つの他の信号の前記複数のコンポーネント信号の１つが送信されない、前記リソース要素のブロックの１つおよび時間単位の１つを選択することを含み、
この前記リソース要素のブロックの選択は、前記少なくとも１つの他の信号の前記複数のコンポーネント信号が送信される前記無線アクセスインターフェースの前記リソース要素のブロックとは相互に排他的なものである
方法。
【請求項６】
請求項２に記載の方法であって、
前記複数のコンポーネント信号の各々について、前記リソース要素のブロックおよび時間単位の１つ以上を選択して、前記コンポーネント信号を送信し、
前記少なくとも１つの他の信号の前記複数のコンポーネント信号の１つが送信される前記リソース要素のブロックの１つと同一である、前記リソース要素のブロックの１つおよび時間単位の１つを選択することを含み、
前記一連のコンポーネント信号から前記複数のコンポーネント信号を選択するときに、リソース要素の同一のブロックおよび同一の時間単位において、前記少なくとも１つの他の信号のコンポーネント信号として送信されるコンポーネント信号の１つとは異なるものになるように、前記コンポーネント信号を選択することを含む
方法。
【請求項７】
請求項５に記載の方法であって、
前記一連のコンポーネント信号から前記複数のコンポーネント信号を選択するときに、リソース要素の同一のブロックおよび同一の時間単位において、前記少なくとも１つの他の信号のコンポーネント信号として送信されるコンポーネント信号の１つとは異なるものになるように、前記コンポーネント信号を選択することを含む
方法。
【請求項８】
請求項１に記載の方法であって、
前記一連のコンポーネント信号から前記複数のコンポーネント信号を選択するときに、セルの識別番号を示すように前記複数のコンポーネント信号を選択することを含む
方法。
【請求項９】
請求項１に記載の方法であって、
前記リソース要素の複数のブロックの１つ以上および前記時間単位の１つ以上を選択して、前記コンポーネント信号を送信し、そのときに、
周波数ホッピングパターンに従って、複数の前記時間単位の各々における前記リソース要素の複数のブロックの１つ以上を選択することを含む
方法。
【請求項１０】
請求項９に記載の方法であって、
前記周波数ホッピングパターンは、セルの識別番号によって決まる
方法。
【請求項１１】
請求項１に記載の方法であって、
前記コンポーネント信号の各々は、信号サンプルの系列を含み、
前記コンポーネント信号の各々は、前記一連の信号コンポーネントの他の信号コンポーネントの各々との相互相関が低い
方法。
【請求項１２】
請求項１に記載の方法であって、
信号サンプルの前記系列は、Zadoff-Chu系列から形成され、
前記信号サンプルの各々は、Zadoff-Chu系列の係数から形成される
方法。
【請求項１３】
請求項１２に記載の方法であって、
前記一連のコンポーネント信号内の複数のコンポーネント信号は、同一のZadoff-Chu系列から形成され、互いに周期的にシフトされる
方法。
【請求項１４】
請求項１に記載の方法であって、
前記複数のコンポーネント信号の数は、無線信号の経路損失に影響を与える無線状態の相対的な表示度数に従って選択され、
この数は、無線信号の経路損失が大きいほど大きい
方法。
【請求項１５】
１台以上の通信デバイスと通信するための無線通信ネットワークの一部を構成するインフラ機器であって、
前記インフラ機器によって構成された無線アクセスインターフェースを介して信号を送信するように構成された送信機回路と、
前記インフラ機器を介して前記１台以上の通信デバイスによって送信された信号を受信するように構成された受信機回路と、
前記送信機回路および前記受信機回路を制御するように構成されたコントローラ回路と
を具備し、
前記コントローラ回路は、
１台の通信デバイスに情報を提供するために、ダウンリンク信号が前記通信デバイスに送信される必要があることを判定し、
無線アクセスインターフェースを介して送信するための前記ダウンリンク信号を形成し、かつ、
前記インフラ機器から前記通信デバイスへ前記ダウンリンク信号を送信する前記送信機を制御する
ように構成され、
前記無線アクセスインターフェースは、周波数次元でリソース要素を含み、前記リソース要素の各々は、直交周波数分割多重、OFDMシンボルのサブキャリアを伝送するためのものであり、前記リソース要素は、周波数次元でリソース要素の複数のブロックに形成され、時間次元で前記無線アクセスインターフェースは、複数の時間単位に分割され、前記時間単位の各々は、複数のOFDMシンボルを伝送するためのものであり、
前記コントローラ回路は、
一連のコンポーネント信号から複数のコンポーネント信号を選択することによって、前記ダウンリンク信号を形成し、
前記複数のコンポーネント信号の各々について、前記リソース要素のブロックの１つおよび時間単位の１つを選択して、前記コンポーネント信号を送信し、かつ、
前記リソース要素の選択されたブロック内の選択された複数のコンポーネント信号を、広帯域幅の信号として送信する前記送信機を制御する
ように構成され、
前記一連のコンポーネント信号の各コンポーネント信号は、前記リソース要素のブロックの１つ、および、前記複数のOFDMシンボルの時間単位の１つから形成され、各コンポーネント信号は、狭帯域幅受信機で検出可能である
インフラ機器。
【請求項１６】
請求項１５に記載のインフラ機器であって、
前記コントローラ回路は、
前記無線アクセスインターフェースの前記リソース要素のブロックにおいて送信される、前記一連のコンポーネント信号からの複数のコンポーネント信号から形成される、少なくとも１つの他の信号からの同一チャネル干渉を低減するように、
前記一連のコンポーネント信号から選択される複数のコンポーネント信号と、この複数のコンポーネント信号を送信するための、対応する前記リソース要素の複数のブロックおよび時間単位の１つ以上との一方または両方が選択される
ように前記送信機回路と組み合わせて構成される
インフラ機器。
【請求項１７】
請求項１６に記載のインフラ機器であって、
前記コントローラ回路は、
前記インフラ機器によって形成される前記無線通信ネットワークの第１のセル内で動作する前記通信デバイスに、前記ダウンリンク信号を送信し、
前記第１のセルは、前記少なくとも１つの他の信号が送信される他のインフラ機器によって形成される第２のセルとは異なる
ように前記送信機回路と組み合わせて構成される
インフラ機器。
【請求項１８】
請求項１６に記載のインフラ機器であって、
前記コントローラ回路は、
前記インフラ機器によって形成され、前記少なくとも１つの他の信号が送信される前記無線通信ネットワークの１つのセル内で動作する前記通信デバイスに、前記ダウンリンク信号を送信し、
前記ダウンリンク信号が送信される前記通信デバイスは、第１のグループの通信デバイスの一部を形成し、その他の信号が、他のグループの通信デバイスを形成する１つ以上の通信デバイスに送信される
ように前記送信機回路と組み合わせて構成される
インフラ機器。
【請求項１９】
請求項１６に記載のインフラ機器であって、
前記コントローラ回路は、
前記少なくとも１つの他の信号の前記複数のコンポーネント信号の１つが送信されない、前記リソース要素のブロックの１つおよび時間単位の１つを選択し、
この前記リソース要素のブロックの選択は、前記少なくとも１つの他の信号の前記複数のコンポーネント信号が送信される前記無線アクセスインターフェースの前記リソース要素のブロックとは相互に排他的なものである
ように構成される
インフラ機器。
【請求項２０】
請求項１６に記載のインフラ機器であって、
前記コントローラ回路は、
前記少なくとも１つの他の信号の前記複数のコンポーネント信号の１つが送信される前記リソース要素のブロックの１つと同一である、前記リソース要素のブロックの１つおよび時間単位の１つを選択し、
リソース要素の同一のブロックおよび同一の時間単位において、前記少なくとも１つの他の信号のコンポーネント信号として送信されるコンポーネント信号の１つとは異なるものになるように、前記コンポーネント信号を選択する
ように構成される
インフラ機器。
【請求項２１】
請求項１９に記載のインフラ機器であって、
前記コントローラ回路は、
リソース要素の同一のブロックおよび同一の時間単位において、前記少なくとも１つの他の信号のコンポーネント信号として送信されるコンポーネント信号の１つとは異なるものになるように、前記コンポーネント信号を選択する
ように構成される
インフラ機器。
【請求項２２】
請求項１５に記載のインフラ機器であって、
前記コントローラ回路は、セルの識別番号を示すように前記複数のコンポーネント信号を選択するように構成される
インフラ機器。
【請求項２３】
請求項１５に記載のインフラ機器であって、
前記コントローラ回路は、周波数ホッピングパターンに従って、複数の前記時間単位の各々における前記リソース要素の複数のブロックの１つ以上を選択するように構成される
インフラ機器。
【請求項２４】
請求項２３に記載のインフラ機器であって、
前記周波数ホッピングパターンは、セルの識別番号によって決まる
インフラ機器。
【請求項２５】
請求項１５に記載のインフラ機器であって、
前記コンポーネント信号の各々は、信号サンプルの系列を含み、
前記コンポーネント信号の各々は、前記一連の信号コンポーネントの他の信号コンポーネントの各々との相互相関が低い
インフラ機器。
【請求項２６】
請求項１５に記載のインフラ機器であって、
信号サンプルの前記系列は、Zadoff-Chu系列から形成され、
前記信号サンプルの各々は、Zadoff-Chu系列の係数から形成される
インフラ機器。
【請求項２７】
請求項２６に記載のインフラ機器であって、
前記一連のコンポーネント信号内の複数のコンポーネント信号は、同一のZadoff-Chu系列から形成され、互いに周期的にシフトされる
インフラ機器。
【請求項２８】
請求項１５に記載のインフラ機器であって、
前記複数のコンポーネント信号の数は、無線信号の経路損失に影響を与える無線状態の相対的な表示度数に従って選択され、
この数は、無線信号の経路損失が大きいほど大きい
インフラ機器。
【請求項２９】
無線通信ネットワークで動作するユーザ装置においてダウンリンク信号を受信する方法であって、
前記無線通信ネットワークによって形成された無線通信ネットワークを介して送信されたダウンリンク信号を受信する
ことを含み、
無線アクセスインターフェースは、周波数次元でリソース要素を含み、前記リソース要素の各々は、直交周波数分割多重、OFDMシンボルのサブキャリアを伝送するためのものであり、前記リソース要素は、周波数次元でリソース要素の複数のブロックに形成され、時間次元で前記無線アクセスインターフェースは、複数の時間単位に分割され、前記時間単位の各々は、複数のOFDMシンボルを伝送するためのものであり、
前記ダウンリンク信号は、一連のコンポーネント信号から選択された複数のコンポーネント信号を含み、
前記一連のコンポーネント信号の前記コンポーネント信号の各々は、前記複数のOFDMシンボルによって前記リソース要素の前記ブロックの１つおよび前記時間単位の１つにおいて送信される信号サンプルの１つの系列から形成され、
各コンポーネント信号は、狭帯域幅受信機で検出可能であり、
前記複数のコンポーネント信号の各々は、前記リソース要素の前記ブロックの１つおよび前記時間単位の１つにおいて送信され、かつ、
選択された複数のコンポーネント信号は、広帯域幅の信号として前記リソース要素の選択されたブロックから受信される
方法。
【請求項３０】
無線通信ネットワークで動作するためのユーザ装置であって、
前記無線通信ネットワークによって形成された無線通信ネットワークを介して送信されたダウンリンク信号を受信するように構成された受信機回路
を具備し、
前記ユーザ装置は、
無線アクセスインターフェースは、周波数次元でリソース要素を含み、前記リソース要素の各々は、直交周波数分割多重、OFDMシンボルのサブキャリアを伝送するためのものであり、前記リソース要素は、周波数次元でリソース要素の複数のブロックに形成され、時間次元で前記無線アクセスインターフェースは、複数の時間単位に分割され、前記時間単位の各々は、複数のOFDMシンボルを伝送するためのものであり、
前記ダウンリンク信号は、一連のコンポーネント信号から選択された複数のコンポーネント信号を含み、
前記一連のコンポーネント信号の前記コンポーネント信号の各々は、前記複数のOFDMシンボルによって前記リソース要素の前記ブロックの１つおよび前記時間単位の１つにおいて送信される信号サンプルの１つの系列から形成され、
各コンポーネント信号は、狭帯域幅受信機で検出可能であり、
前記複数のコンポーネント信号の各々は、前記リソース要素の前記ブロックの１つおよび前記時間単位の１つにおいて送信され、かつ、
選択された複数のコンポーネント信号は、広帯域幅の信号として前記リソース要素の選択されたブロックにおいて受信される
ように前記受信機回路と組み合わせて構成される
ユーザ装置。
【発明の詳細な説明】
【技術分野】
【０００１】
本発明は、無線通信システムにおけるインフラ機器および通信デバイスに関する。ここでインフラ機器は、ダウンリンクメッセージを通信装置に送信する前に、ウェイクアップ信号（WUS）を送信するように構成される。
【背景技術】
【０００２】
本明細書で提供される「背景」の記載は、本開示の背景を一般的に提示することを目的とする。ここで指名されている発明者の研究は、この背景セクションで記載される範囲で本発明に対する先行技術として、かつ、出願時にその他の先行技術として見なされない記載の態様として、明示的または黙示的に認められない。
【０００３】
UMTSやLong Term Evolution（LTE）アーキテクチャで定義された3GPPに基づいた第3世代および第4世代のモバイル通信システムは、前世代のモバイル通信システムによって提供される簡素な音声およびメッセージングサービスよりも高度なサービスをサポートすることができる。
例えば、LTEシステムによって提供される改良された無線インターフェースおよび拡張されたデータレートにより、ユーザは、以前は固定回線データ接続を介してしか利用できなかったモバイルビデオストリーミングやモバイルビデオ会議などの高データレートのアプリケーションを楽しむことができる。
したがって、このようなネットワークを配備する需要は強く、これらのネットワークのサービスエリア、つまりネットワークへのアクセスが可能な地理的な場所は、ますます急速に増加することが予想される。
【０００４】
将来の無線通信ネットワークは、現在のシステムがサポートするように最適化されているよりも幅広いデータトラフィックプロファイルおよびタイプに関連付けられた幅広いデバイスとの通信を定期的かつ効率的にサポートすることが期待される。
例えば、将来の無線通信ネットワークは、複雑さが軽減されたデバイス、マシンタイプコミュニケーション（MTC）デバイス、高解像度ビデオディスプレイ、バーチャルリアリティヘッドセットなどを含むデバイスとの効率的な通信をサポートすることが期待される。
これらのさまざまなタイプのデバイスのいくつかは、非常に多く展開される可能性があり、例えば、「モノのインターネット」をサポートするための複雑度の低いデバイスであり、通常、比較的高い遅延許容度で比較的少量のデータの送信に関連付けられる。
【０００５】
この点で現在関心のある一例の領域には、いわゆる「モノのインターネット」または略してIoTが含まれる。3GPPは、3GPP仕様のリリース13において、LTE / 4G無線アクセスインターフェースおよび無線インフラを用いたナローバンド（NB）-IoT、および、いわゆる拡張されたMTC（eMTC）オペレーションをサポートする技術を発展させることを提案している。
【０００６】
eMTC通信デバイスは、ナローバンド受信機で動作するように構成されたNB-IoT通信デバイスよりも広い帯域幅を有する。より最近では、これらのアイデアを、いわゆる拡張されたNB-IoT（eNB-IoT）およびさらに拡張されたMTC（feMTC）を備えた3GPP仕様のリリース14で構築する提案と、いわゆるさらに拡張されたNB-IoT（feNB-IoT）およびよりさらに拡張されたMTC（efeMTC）を備えた3GPP仕様のリリース15で構築する提案とが存在している（例えば特許文献１および２参照）。
これらの技術を利用する少なくともいくつかのデバイスは、比較的低帯域幅のデータの比較的低頻度の通信を必要とする、低複雑度で安価なデバイスであることが期待されている。いくつかの例では、受信機は、単一の物理リソースブロック内の信号を受信するように構成されている。
【０００７】
様々なトラフィックプロファイルに関連付けられた様々なタイプの通信デバイスの使用の増加により、対処する必要がある、無線通信システムでの通信を効率的に処理するための新しい課題が生じている。
【先行技術文献】
【特許文献】
【０００８】
【特許文献１】欧州特許出願公開第３６１９９８７号明細書
【特許文献２】欧州特許出願公開第３６６５８８２号明細書
【発明の概要】
【０００９】
本開示は、上記で議論された問題の少なくとも一部に対処または軽減するのに役立ち得る。
【００１０】
本技法の実施形態は、１台以上の通信デバイスと通信するように構成され、無線通信ネットワークの一部を構成するインフラ機器を操作する方法を提供することができる。
この方法は、無線アクセスインターフェースを介して送信するためのダウンリンク信号を形成することを含む。上記無線アクセスインターフェースは、周波数次元でリソース要素を含み、上記リソース要素の各々は、直交周波数分割多重、OFDMシンボルのサブキャリアを伝送するためのものであり、上記リソース要素は、周波数次元でリソース要素の複数のブロックに形成され、時間次元で上記無線アクセスインターフェースは、複数の時間単位に分割され、上記時間単位の各々は、複数のOFDMシンボルを伝送するためのものである。
上記時間単位は、例えば、上記無線アクセスインターフェースのサブフレームである。上記ダウンリンク信号の形成では、一連のコンポーネント信号から複数のコンポーネント信号を選択することを含む。上記一連のコンポーネント信号の各コンポーネント信号は、上記複数のOFDMシンボルによる、上記リソース要素の上記ブロックの１つ、および、時間単位の１つから形成され、各コンポーネント信号は、狭帯域幅受信機で検出可能であり、上記複数のコンポーネント信号の各々について、上記リソース要素の上記複数のブロックの１つおよび上記時間単位の１つ以上を選択して、上記コンポーネント信号を送信する。
一連の信号サンプルは、例えば、無線アクセスインターフェースのリソース要素の１つのブロックにおけるOFDMシンボルの数によって運搬されるZadoff-Chu系列から形成された、狭帯域の、モノのインターネットのウェイクアップ信号（NB-IoT WUS）である。一例において、上記複数のコンポーネント信号を使用して、１つがeMTCデバイスに使用される可能性がある、広帯域幅のウェイクアップ信号を形成することができる。
【００１１】
本技法のさらなる実施形態は、１つの信号が複数の構成要素、狭帯域信号系列（コンポーネント信号、NB-IoT WUS系列）から構成される無線通信システムを提供することができる。このNB-IoT WUS系列の配置は、セル間の干渉に対する堅牢性を向上させるか、異なる結合損失（異なる無線通信条件によって引き起こされる異なる経路損失）における動作効率を向上させるか、または、UEのより良いグループ化を提供することができる。
例示的な実施形態によれば、ウェイクアップ信号（WUS）のような広帯域幅のダウンリンク信号は、NB-IoT WUSのような他の狭帯域デバイス（NB-IoTデバイス）と同じ目的で使用される狭帯域ダウンリンク信号から形成される。
【００１２】
本技法の実施形態は、ウェイクアップ信号を可能にする、インフラ機器、通信デバイス、通信デバイスおよびインフラ機器を動作させる方法、ならびに通信デバイスおよびインフラ機器用の回路にさらに関連する。
【００１３】
本開示のそれぞれの態様および特徴は、添付の特許請求の範囲で定義される。
【００１４】
前述の一般的な説明および以下の詳細な説明の双方は、本技術の例示であり、本発明を限定するものではないことを理解されたい。本実施形態は、さらなる利点と共に、添付の図面と併せて以下の詳細な説明を参照することによって最もよく理解される。
【図面の簡単な説明】
【００１５】
いくつかの図を通して同じ参照番号が同一または対応する部品を示すので、以下の詳細な説明を、添付の図面と併せて考察すると、本開示およびそれに付随する多くの利点が、以下の詳細な説明を参照することによってよりよく理解される。
【００１６】
【図１】本開示の特定の実施形態に従って動作するように構成されたLTEタイプの無線電気通信システムの一部の態様を示す概略図である。
【図２】本開示の特定の実施形態に従って動作するように構成された新しい無線アクセス技術（RAT）無線通信システムの一部の態様を示す概略図である。
【図３】既知のアプローチに基づく無線通信システムでのページングオケージョンに関連するタイムラインを示す概略図である。
【図４】既知のアプローチに基づく無線通信システムでのページングオケージョンに関連するタイムラインを示す概略図である。
【図５】特定の実装例に従って使用するように適合されるウェイクアップ信号（WUS）の例示的なフォーマットを示す概略図である。
【図６】狭帯域通信デバイス（NB-IoT UE）用の狭帯域ウェイクアップ信号を生成するように構成されたインフラ機器の送信機アーキテクチャの一部を示す概略ブロック図である。
【図７】狭帯域チャネルにおける狭帯域（NB-IoT）WUSの例示的な描写である。
【図８】本技法の例示的な実施形態に従って、広帯域（eMTC）WUSを通信デバイス（UE）に送信する、図１または図２に示す無線通信システムの一部を構成する２台のインフラ機器（基地局、eNB、gNB、またはTRP）を示す概略ブロック図である。
【図９】セルごとに狭帯域幅（NB-IoT）WUSの順序が異なる図８に示す例の、異なるセルにおいて送信された狭帯域幅（NB-IoT）WUSから形成された、２つの広帯域幅（eMTC）WUSの概略図である。
【図１０】狭帯域WUSコンポーネント信号が異なるように配置され、リソース要素および時間単位が同一のブロックにおいて同時に送信される、異なるセルにおける送信用の狭帯域幅（NB-IoT）WUSから形成された、２つの広帯域幅（eMTC）WUSのさらなる例の概略図である。
【図１１】同一チャネル干渉を回避するためにリソース要素の異なるブロックが選択されている異なるセルでの送信用の狭帯域幅（NB-IoT）WUSから形成された、２つの広帯域幅（eMTC）WUSのさらなる例の概略図である。
【図１２】異なる通信デバイス（UE）の各々に２つの広帯域幅（eMTC）信号を送信する、図１または図２に示す無線通信システムの一部を構成するインフラ機器（基地局、eNB、gNB、またはTRP）を示す概略ブロック図である。通信デバイス（UE）は、本技法の例示的な実施形態に従って、同一のセルにおいて通信する通信デバイス（UE）として異なるグループの一部を構成している。
【図１３】インフラ機器と通信デバイスの間に異なる結合損失（経路損失）がある通信デバイスに送信するための、狭帯域幅（NB-IoT）信号から形成された２つの広帯域幅（eMTC）信号の概略図である。
【図１４】本技法の例示的な実施形態に従って、同一のセルにおいて通信する通信デバイス（UE）の異なるグループの一部を形成する、異なる通信デバイス（UE）に送信するための狭帯域幅（NB-IoT）信号から形成された、２つの広帯域幅（eMTC）WUSの概略図である。
【図１５】本技法の例示的な実施形態に従って、通信デバイス（UE）の異なるグループの一部を形成する、異なる通信デバイス（UE）に送信するための狭帯域幅（NB-IoT）信号から形成された、２つの広帯域幅（eMTC）WUSのさらなる例示的な概略図である。
【図１６】複数の構成要件の狭帯域幅信号から広帯域信号を形成する際のインフラ機器の動作を示す例示的なフローチャートである。
【発明を実施するための形態】
【００１７】
「Long Term Advanced Radio Access Technology (4G)」
図１は、概してLTE原理に従って動作するが、他の無線アクセス技術をサポートすることもでき、本明細書に記載される開示の実施形態を実装するように適合され得る、モバイル通信ネットワーク／システム５のいくつかの基本機能を示す概略図である。
【００１８】
図１のさまざまな要素およびそれぞれの動作モードの特定の態様は、周知であり、3GPP（RTM）団体が管理する関連規格で規定されており、また、このテーマに関する多くの書籍にも記載されている（例えばHolma H. およびToskala A. の"LTE for UMTS OFDMA and SC-FDMA based radio access", John Wiley and Sons, 2009）。
【００１９】
（例えば、異なる要素間で通信するための特定の通信プロトコルおよび物理チャネルに関して）特に説明されない、本明細書で論じられる通信ネットワークの動作態様は、任意の既知の技術に従って（例えば、関連する規格と、関連する規格に対する既知の提案された修正および追加とに従って）、実装されることが理解される。
【００２０】
ネットワーク５は、コアネットワーク２に接続された複数の基地局１を含む。各基地局１は、通信デバイス４との間でデータを通信できるカバレッジエリア３（すなわちセル）を提供する。データは、基地局１から無線ダウンリンクを介してそれぞれのカバレッジエリア３内の通信デバイス４に送信される。
データは、無線アップリンクを介して通信デバイス４から基地局１に送信される。
【００２１】
コアネットワーク２は、それぞれの基地局１を介して通信デバイス４との間でデータを転送し、認証、モビリティ管理、課金などの機能を提供する。
端末デバイスは、移動局、ユーザ装置（UE）、ユーザ端末、移動無線、通信デバイスなどと呼ばれることもある。
ネットワークインフラ機器の例である基地局は、トランシーバ局、nodeBs、e-nodeBs、eNB、g-nodeBs、gNBなどと呼ばれることもある。
【００２２】
この点で、さまざまな用語が、広範囲にわたる機能を提供する要素の、さまざまな世代の無線通信システムによく関連付けられる。
しかしながら、本開示の特定の実施形態は、異なる世代の無線通信システムにおいて同様に実装されてもよく、簡素化するために、基礎となるネットワークアーキテクチャに関係なく、特定の用語が使用されてもよい。
つまり、特定の実装例に関する特定の用語の使用は、これらの実装がその特定の用語に最も関連している特定の世代のネットワークに限定されることを示すことを意図したものではない。
【００２３】
「新しい無線アクセス技術(5G)」
図２に、NRおよび5Gで提案されている一部の用語を使用した無線通信ネットワークの一構成例を示す。
【００２４】
新しい無線アクセス技術（NR）に関する3GPPの検討事項（SI）が明示されている。
図２において、複数の送受信ポイント(TRP)１０は、ライン１６として示される接続インターフェースによって分散制御ユニット(DU)４１、４２に接続される。
各ＴＲＰ１０は、無線通信ネットワークとして利用可能な無線周波数帯域幅内で無線アクセスインターフェースを介して信号を送受信するように構成される。
【００２５】
したがって、無線アクセスインターフェースを介して無線通信を実行する範囲内で、各ＴＲＰ１０は、円１２によって表されるような無線通信ネットワークのセルを形成する。
このようなセル１２によって提供される無線通信範囲内にある無線通信デバイス１４は、無線アクセスインターフェースを介してＴＲＰ１０との間で信号を送受信することができる。
【００２６】
分散制御ユニット４１、４２のそれぞれは、インターフェースを介して中央ユニット(CU)４０に接続されている。
次に、中央ユニット４０は、無線通信デバイスとの間で通信するためのデータを送信するために必要な他のすべての機能を含むコアネットワーク２０に接続されており、このコアネットワーク２０は、他のネットワーク３０に接続されている。
【００２７】
図２に示される無線アクセスネットワークの要素は、図１の例に関して説明したようなLTEネットワークの対応する要素と同様に動作することができる。
図２に示される通信ネットワークと、（例えば、特定の通信プロトコルおよび異なる要素間で通信するための物理チャネルに関連して）具体的に説明されていない、本開示の実施形態に従った本明細書で論じられる他のネットワークと、の動作態様が、任意の既知の技術に従って、例えば無線通信システムにおいてこのような動作態様を実装するために現在使用されているアプローチに従って（例えば関連する規格に従って）、実装されてもよい。
【００２８】
図２のTRP10は、部分的に、LTEネットワークの基地局またはeNodeBに対応する機能を有することができる。
同様に、通信デバイス１４は、LTEネットワークでの動作に関して公知であるUEデバイスに対応する機能を有することができる。
【００２９】
したがって、（例えば、特定の通信プロトコルおよび異なる要素間で通信するための物理チャネルに関する）新しいRATネットワークの動作態様は、LTEまたは他の既知のモバイル遠隔通信規格として知られているものと異なる場合があることが理解される。
しかしながら、新しいRATネットワークのコアネットワーク部、基地局、および通信デバイスはそれぞれ、LTE無線通信ネットワークのコアネットワーク部、基地局、および通信デバイスと機能的に同様であることも理解される。
【００３０】
広範な最上位の機能性の観点から、図２に示される新しいRAT通信システムのコアネットワーク部２０は、図１に示されるコアネットワーク２に相当すると広く考えられ得る。そして、それぞれの制御ノード４０およびそれらに関連する分散型ユニット／複数のTRP１０は、図１の基地局１に相当する機能を提供すると広く考えられ得る。
ネットワークインフラ機器／アクセスノードという用語は、無線通信システムのこれらの要素、および、より従来の基地局タイプの要素を包含するように用いられる。
【００３１】
当面のアプリケーションに応じて、それぞれの分散型ユニットと通信デバイスとの間の無線インターフェースでスケジュールされる送信をスケジュールする責任は、制御ノード／集中型ユニットおよび／または分散型ユニット／TRPにある。
通信デバイス１４は、図２において第１の通信セル１２のカバレッジエリア内に示されている。
したがって、この通信デバイス１４は、第１の通信セル１２と関連する分散型ユニット４１、４２のうちの１つを介して、第１の通信セル１２内の第１の制御ノード４０と信号を交換することができる。
【００３２】
さらに、図２は、本明細書で説明される原理に従ったアプローチを採用することができる新しいRAT電気通信システムのために提案されたアーキテクチャの一例を表すにすぎず、本明細書で開示される機能は、異なるアーキテクチャを有する無線電気通信システムに関しても適用できることが理解される。
【００３３】
したがって、本明細書で論じられる本開示の特定の実施形態は、図１および２に示される例示的なアーキテクチャのような様々な異なるアーキテクチャに従った無線電気通信システム／ネットワークにおいて実装され得る。
したがって、任意の所与の実装における特定の無線電気通信アーキテクチャが、ここで説明する原則にとって、基本的に重要ではないことが理解される。
【００３４】
これに関して、本開示の特定の実施形態は、ネットワークインフラ機器／アクセスノードと通信デバイスとの間の通信の状況で一般的に説明される。ここで、ネットワークインフラ機器／アクセスノードおよび通信デバイスの特性は、当面の実装用のネットワークインフラによって決まる。
例えば、１つの状況として、ネットワークインフラ機器／アクセスノードは、ここで説明する原則に従って機能を提供するように適合された、図１に示すLTEタイプの基地局１のような基地局を含む。
そして他の例として、ネットワークインフラ機器は、本明細書で説明する原理に従って機能を提供するように適合された、図２に示す種類の制御ユニット／制御ノード４０および／またはTRP１０を含む。
【００３５】
「ページング通信デバイス」
よく理解されているように、図１に示されたLTEベースのネットワークや図２に示されたNRベースのネットワークなど、さまざまな無線通信ネットワークが、（i）RRCアイドルモード（RRC_IDLE）および（ii）RRC接続モード（RRC_CONNECTED）を概して含む、UE用のさまざまな無線リソース制御（RRC）モードをサポートする。
ここでUEがデータを送信するとき、RRC接続モードが概して用いられる。
【００３６】
その一方で、RRCアイドルモードは、ネットワークに登録されているが（EMM-REGISTERED）、現在アクティブな通信を行っていない（ECM-IDLE）UE向けである。
したがって、一般的に言えば、RRC接続モードでは、無線ネットワークアクセスノードとユーザープレーンデータを交換することができるという意味で、UEは、無線ネットワークアクセスノード（例えば、LTE基地局）に接続される。
【００３７】
反対に、RRCアイドルモードでは、無線ネットワークアクセスノードを用いてユーザープレーンデータを通信できないという意味で、UEは、無線ネットワークアクセスノードに接続されない。
UEは、アイドルモードでは、基地局から一部の通信、例えばセル再選択目的の参照信号や他のブロードキャスト信号を受信する場合がある。
RRCアイドルモードからRRC接続モードに移行するRRC接続セットアップ手順は、セル／基地局への接続としてもよい。
【００３８】
RRCアイドルモードにあるUEにおいて、コアネットワークは、UEがネットワーク内に存在していることを認識するが、（図１の基地局１、および／または、結合された図２のTRP / CU 10、40、42などの無線ネットワークインフラ機器を含む）無線アクセスネットワーク（RAN）部は、そうではない。
【００３９】
コアネットワークは、ページングトラッキングエリアレベルにおいてアイドルモードのUEの位置を認識するが、個々のトランシーバエンティティのレベルにおいては認識しない。
UEが特定のトラッキングエリアアップデート（TAU）を、ネットワークに提供していない限り、コアネットワークは概して、UEとの通信にごく最近に使用されたトランシーバエンティティに関連付けられたトラッキングエリア内にUEがあると、想定している。
【００４０】
（従来と同様に、コアネットワークがUEの位置を追跡できるように、UEが別のトラッキングエリアに入ったことを検出すると、アイドルモードのUEは通常、TAUを送信することが必要とされる。）
コアネットワークは、トラッキングエリアレベルでUEを追跡するので、アイドルモードのUEとの接続を開始しようとするときに、ネットワークインフラが、どの特定のトランシーバエンティティ（無線ネットワークノード）を使用するかを知ることは、通常不可能である。
その結果、よく知られているように、コアネットワークがアイドルモードのUEに接続する必要がある場合は、ページング手順が用いられる。
【００４１】
現在配備されている典型的なネットワークでは、アイドルモードのUEは、定期的にページングメッセージを監視するように構成されている。
不連続受信（DRX）モードで動作しているUEの場合、この監視は、DRXがアウェイク時間においてウェイクアップしたときに起こる。
【００４２】
特定のUE用のページング信号は、定義されたフレーム（ページングフレーム）／サブフレーム（ページングオケージョン）で送信される。
これらのフレームは、特定のUE用のInternational Mobile Subscriber Identifier（IMSI）と、ネットワーク内で送信されるシステム情報で規定されたページング関連のDRXパラメータとから導出される。
【００４３】
したがって、従来のシステムでは、UEは、ページング信号を探すために、特定のフレーム（ページングフレーム）内の特定のサブフレーム（ページングオケージョン）の内容を受信して確認する。
例えば、3GPP TS 36.304バージョン14.2.0リリース14に記載されている規格に従って、ページングフレーム（PF）は、1つ以上のページングオケージョン（PO）を含むダウンリンク無線フレームである。
【００４４】
ここで、ページングオケージョンは、ページングメッセージをアドレス指定するPDCCHで（または実装上、同等の依存チャネル、例えばMTCまたはNB-IOTのMPDCCHやNPDCCHで）P-RNTIが送信されるサブフレームである。
ページングメッセージは、ページング無線ネットワーク一時識別子（P-RNTI）宛ての割り当てメッセージから識別され、物理ダウンリンク制御チャネル（PDCCH）で伝達される、リソース上の物理ダウンリンク共有チャネル（PDSCH）で伝達される。
【００４５】
P-RNTIは、すべてのUEに共通の識別子である（例えば、3GPP TS 36.321バージョン13.5.0リリース13で定義された規格では、16進数でFFFEに設定されている）。
すべてのUEは、使用するように構成された特定のPF / POのPDCCHにP-RNTIが含まれているかどうかを確認する。
【００４６】
関連するサブフレーム内のP-RNTIにアドレス指定されたPDSCHの割り当てがある場合、UEは、PDSCH上の割り当てられたリソース上で送信されたページングメッセージの受信およびデコードを行う。
次に、UEは、受信したページングメッセージのページングレコードリストに含まれているIDのリストを確認し、このリストに自分自身に対応するID（例えば、P-TMSIまたはIMSI）が含まれているかどうかを判定し、含まれている場合はページング応答を開始する。
【００４７】
上記の説明は、既存のLTEページング手順の一例を要約したものであるが、5Gネットワークのようなより新しい無線アクセス技術（RAT）に基づく将来の無線通信ネットワークに、広く同様の原理が導入されることが予想される。
ページング手順における上記の説明は、PDCCHやPDSCHなどのLTEで一般的に用いられる特定のチャネル名を参照しており、この用語は便宜上、本明細書の説明全体にわたって用いられる。特定の実装では、異なるチャネル名が、より一般的である場合がある。
【００４８】
例えばMTCデバイスのような特定のタイプのUEと通信するための専用チャネルを有する無線電気通信システムの文脈では、対応するチャネル名が変更されることが予想される。
例えば、MTCデバイス専用の物理ダウンリンク制御チャネルは、MPDCCHと呼ばれる。
【００４９】
3GPPリリース14によるeNB-IoTおよびfeMTC用に提案されたアプローチでは、UEがページングメッセージを受信する可能性のあるページングオケージョン中のページングメッセージのために、アイドルモードのDRXのUEは、PDCCH（または当面の特定の実装用の同等のダウンリンク制御チャネル）をデコードして、PDSCH（または当面の特定の実装用の同等のダウンリンク共有チャネル）でスケジュールされたリソースがあるかどうかを識別する必要がある。
【００５０】
図３は、既知の無線電気通信システムで動作するUEのページングオケージョンのタイムラインを概略的に表したものである。
図３に示す例では、１つのページングオケージョンが示され、時間t1からt2まで延びている。
従来通り、１つのUEのページングオケージョンは、通常、そのUEの現在構成されているDRXサイクルを考慮した定期的な繰り返しスケジュールに従って発生する。
【００５１】
異なるUEは、異なるDRXサイクル長を有する可能性があるため、ページングオケージョン間で異なる期間を有する。
ページングオケージョン間で比較的長いDRXサイクル／期間を有するUEの場合、UEは、ページングオケージョン間の電気通信システムの無線ネットワークインフラ機器との同期を、ある程度失ってしまう可能性がある。
この場合、ページングオケージョンの前にUEがウェイクアップして、ページングオケージョンの前に無線通信システムと同期できるようにすると有益である。
【００５２】
この例は、図３に概略的に示されている。この図においてUEは、時間t0でウェイクアップし、時間t0とt1の間に無線通信システムと同期して、構成されたt1とt2の間のページングオケージョンの間にPDCCHを監視／検出できるようにする。
これに関して、同期のプロセスは、場合によっては、CRS（セル固有の参照シンボル）の検出に基づいて、例えば、DRXサイクル（ページングオケージョンの期間）が比較的短い場合、周波数および／またはタイミング追跡ループの微調整のみを必要とする場合がある。
【００５３】
または、例えば、DRXサイクル（ページングオケージョンの期間）が比較的長い場合（UEの周波数およびタイミングが、無線ネットワークインフラの周波数およびタイミングに対して大幅にオフセットされる可能性があるため）、よりかなりの程度の同期（例えば、PSS / SSS（プライマリ同期信号／セカンダリ同期信号）を検出し、CRSを使用することによる完全な再同期）が必要になる場合もある。
【００５４】
UEがネットワークに再同期すると、PDCCHを監視してページングメッセージがあるかどうかを判定し、ページングメッセージがある場合は、通常の方法でページングメッセージを運ぶPDSCHをデコードする。
UE用のページングメッセージがない場合は、UEは、次のページングオケージョンまでスリープ（低電力モード）に戻る。
【００５５】
MTCデバイスのような特定のタイプのUEでは、ページングが比較的まれに（例えば、スマートユーティリティメーターでは1日に1回）起きることが予想される。そのため、多くの場合、実際にはUE用のページングメッセージがないときに、UEはウェイクアップし、ネットワークに同期して、ページングメッセージ用のブラインドデコードによってPDCCHを監視する。
これは、UEにとって望ましくないリソースの「浪費」（例えば、バッテリー電力）である。
【００５６】
「ウェイクアップ信号(WUS)」
3GPPリリース15に従ってeNB-IoTおよびfeMTC用に提案されるアプローチは、いくつかの共通の目的を共有し、これらの目的の1つは、ウェイクアップ信号（WUS）と呼ばれるものを導入することにより、ページングメッセージの監視に関連する電力消費を削減することである（例えば、C.Hambeckら, 「-71dBmの感度を有する無線センサーノードのための2.4μWウェイクアップレシーバー」, IEEE Proceeding International Symposium of Circuits and Systems（ISCAS）, 2011, pp.534-537）。
【００５７】
提案されたWUSは、新しい物理チャネルで伝送され、UEが次のページングオケージョンでPDCCHを実際にデコードする必要があるかどうかを判定できるようにすることを目的としている。
つまり、以前に提案された技法によれば、ページングメッセージがあるかどうかを判定するために、UEは、すべてのページングオケージョン中にPDCCHをデコードする必要がある。また、ページングメッセージがあれば、そのページングメッセージがUE宛てかどうかを判定するために、UEは、PDSCHをデコードする必要がある。
【００５８】
その代わりに、WUSは、次のページングオケージョンに、UEがデコードする必要があるページングメッセージが含まれているかどうかを、UEに示すことを目的としている。
UEがWUSの受信を求めるタイミングを認識するように、WUSは、スケジュールされたページングオケージョンに先立って、事前に決定された／導出可能な時間に送信され、また、WUSは、（PDCCHに必要なブラインドデコーディングと比較して）すぐにデコードされるような比較的少ない情報を含む。
【００５９】
例えば、一部の実装では、WUSは、次のページングオケージョンで送信されるページングメッセージがあるかどうかの、すなわち、WUSがないことが後続のページングメッセージがないことを示す一方で、WUSがあることが次のページングメッセージがあることを示す、１ビットの表示を含む。
次のページングオケージョンにページングメッセージが含まれることをWUSが示す場合、そのページングオケージョンが適用されるすべてのUEは、ページングメッセージを通常どおりにデコードし、そのページングメッセージがUEに送信されたかどうかを判定する。
【００６０】
次のページングオケージョンにページングメッセージが含まれていないことをWUSが示している場合、そのページングオケージョンが適用されるすべてのUEは、これから、次のページングオケージョン中にページングメッセージを監視する必要がないので、例えば、低電力モードに戻ることができると判断することができる。
いくつかの実装形態において、WUSは、ページングオケージョンにおいてページングされるUE用の識別子を含んでもよい。
【００６１】
この識別子は、個々のUEを識別するか、または、UEのグループを識別してもよい。
WUSは、複数のUE／複数のグループ用の複数の識別子を含んでもよい。
１つのUEが、WUSがそのUEに適用される識別子に関連付けられていることを判定すると、通常通りページングメッセージをデコードする。
逆に、１つのUEが、WUSがそのUEに適用される識別子に関連付けられていないことを判定すると、これから、次のページングオケージョン中にページングメッセージを監視する必要がなく、例えば低電力モードに戻ることができると判定することができる。
【００６２】
WUSは、低消費電力のデコードを可能にするフォーマットでエンコードされてもよく（例えば、WUSは、低サンプリングレートの受信機を用いて低消費電力でデコードされる狭帯域の信号であってもよく）、さらに、比較的不十分な同期でも信頼できるデコードが可能なフォーマットで送信されてもよい。
【００６３】
図４は、3GPPリリース15に関連して提案されたWUSを採用した無線電気通信システムで動作するUEのページングオケージョンのタイムラインを概略的に表したものである。
図４に示す例では、１つのページングオケージョンは、時間u2からu3まで延びている。
従来通り、ページングオケージョンは、通常、UEの現在構成されているDRXサイクルを考慮した定期的な繰り返しスケジュールに従って発生する。
【００６４】
ページングオケージョンが、UE用のPDCCHページングメッセージ送信を含むようにスケジュールされていない場合、そのUEを識別するWUSは、送信されない。
したがって、UEは、次のページングオケージョンの前に、UE用の識別子に関連付けられたWUSを検出しようとするように構成される。
UEがそのUE自体の識別子に関連付けられたWUSを検出した場合、UEは、必要に応じて周波数およびタイミングトラッキングループを微調整し、時間u2とu3の間でPDCCHをブラインド検出し、続いて、通常の方法で時間u3とu4の間にページングメッセージを伝達するPDSCHをデコードする。
【００６５】
しかし、UEがそのUEの識別子に関連付けられたWUSを検出できなかった場合、UEは、次のページングオケージョンにUE用のページングメッセージがないと想定し、スリープ状態（低電力モード）に戻り、その次のページングオケージョンにおいてPDCCHをデコードしない。
上述のように、他のいくつかの実装では、WUSは、特定のUE／グループの表示を含まない場合があるが、その代わりに、次のページング機会にページングメッセージが含まれるかどうかの表示を単に含めてもよい。
【００６６】
いずれにしろ、WUSを使用することで、PDCCHの不必要な監視／ブラインドデコード（または、当面の特定の実装に応じた同等なこと）を回避できるため、UEは、より少ないエネルギを消費することが期待できる。
DRXが使用されるとき、WUSは、接続モードでも使用できることが理解される。
【００６７】
特許文献１および２に開示されているWUS送信の態様は、UEが無線通信ネットワークとの同期を失うことをもたらす、UEが長いDRXサイクルに入ったときに、UEの無線通信ネットワークへの同期の維持に関するものである。
UEが、長いDRXサイクル用（つまり、ページングオケージョンが比較的長い期間）に設定されている場合、UEが、無線アクセスネットワークとの同期を失う可能性が非常に高いので、まず初めに無線アクセスネットワークに同期しないとWUSをデコードできない。
この例は、図４に概略的に示されており、比較的長いDRXサイクル用に設定されたUEは、時間u1の前に無線アクセスネットワークと同期して、WUS信号を検出できるようにするために、時間u0でウェイクアップする必要がある。
【００６８】
図５は、特定の実装例（特許文献１）として説明されている同期プリアンブル（事前に定義されたシグネチャ系列）を含むウェイクアップ信号（WUS）の例示的なフォーマットを概略的に表している。
したがって、図５に示されるWUSは、可変長であるプリアンブル部５０および情報部５２を含む。
プリアンブル部５０は、（WUSプリアンブルに加えて任意に使用可能なことが理解される）疎に分散されたPSS / SSSを使用するよりはむしろ、ＵＥがネットワークとの周波数同期および／または時刻同期（つまり、無線ネットワークインフラ機器が、WUSを送信すること）を実現することを可能にする信号を含む。
【００６９】
情報部５２は、WUSが適用される１つ以上のUEの表示、例えば１つのUE識別子および／または複数のUEの１グループの識別子を含む。
UE／グループ識別子は、UE用のネットワーク割り当て識別子（例えば、無線ネットワーク一時識別子、RNTI）、または、例えば、UE用のIMSIに基づいた任意の他の形式の適切な識別子であってもよい。 
【００７０】
特定の実装例（特許文献１）に記載されているように、図５に関連して上記に提示されたアプローチに対して行われ得る多くの変更が存在することが理解される。
例えば、ウェイクアップ信号用の一般的なフォーマットは、図５に示すフォーマットに準拠せず、異なるフォーマットを使用している場合がある。例えば、WUSは、情報保持部５２を含まない場合がある。
【００７１】
「IoT用のウェイクアップ信号系列」
以下の段落は、IoTデバイスに使用可能な一例によるWUSの設計に関する。
この例によるWUSは、Np個のWUSプリアンブルシンボルと、必要に応じてそれに続くNd個のWUS信号シンボルとを含む。
【００７２】
各WUS OFDMプリアンブルシンボルは、３つの部分で構成される。
・疑似ランダム系列（PN）
・Zadoff-Chu（ZC）系列
・周波数シフト機能
【００７３】
PN系列およびZC系列のドット積は、WUSのプリアンブル系列を形成する。
各々のWUSプリアンブルシンボルは、WUSプリアンブル系列の要素をOFDMシンボルの指定されたサブキャリアにマッピングすることにより、周波数領域でOFDMシンボルとして構築される。
各々のWUSプリアンブルのOFDMシンボルに対して、PN系列は、WUSがセルにリンクされるように、セルIDによって初期化されるため、これによりWUSが、他のセルからのWUSと直交するようにランダム化される。
【００７４】
ZC系列を使用すると、UE受信機で良好な相関特性が得られ、送信信号のPAPRが低くなる。
プリアンブルシンボルmに対するWUSプリアンブル系列Xm（k）は、次のとおりである。
【数１】
2021514155.tif 000003
【００７５】
ここで、Pm（k）はPN系列であり、Z（k）はk = 0,1,2,..NSC-1に対するZadoff-Chu系列であり、NSCはWUS信号に用いられるサブキャリアの数である。
換言すると、本技法のいくつかの実施形態では、参照系列は、Zadoff-Chu系列および疑似ランダム系列のドット積を含む。
【００７６】
次に、WUSプリアンブルシンボルは、次のように形成される。
【数２】
2021514155.tif 000004
【００７７】
ここで、xm（k）はXm（k）の逆フーリエ変換であり、amはプリアンブルシンボルmの周波数シフト成分である。
換言すると、本技法のいくつかの実施形態では、１以上のOFDMシンボルの周波数シフトは、参照系列の逆フーリエ変換に、適切な位相系列の複素指数を乗算することを含む。
各々のプリアンブルシンボルには、Ngサンプルのサイクリックプレフィックスが先頭に設けられる。
【００７８】
図６は、複数の直交周波数分割多重（OFDM）シンボルによって形成されるプリアンブルを含むWUSを送信するように構成されたインフラ機器の送信機アーキテクチャの一部の概略ブロック図を示す。OFDMシンボルのそれぞれは、参照系列で変調される。
ここで、１つ以上のOFDMシンボルは、連続する他のOFDMシンボルに対して周波数がシフトして送信される。
【００７９】
図６は、図に示されているように、（参照系列を共に形成する）PN系列、ZC系列および周波数シフト関数の観点から、各々のWUS OFDMプリアンブルシンボルの構築に関する上記の説明にほぼ対応しており、無線通信ネットワークのインフラ機器の送信機アーキテクチャの一部は、PN発生器８０およびZC発生器８２の両方を含む。
上述したように、PN発生器８０は、インフラ機器によって操作されるセルのセルIDによって初期化され、そして、PN発生器８０の出力は、ZC発生器８２の出力に乗算される（より具体的には、内積が取られる）８４。
【００８０】
次に、逆フーリエ変換８６が、乗算器８４の出力に対して行われ、次にこの結果に、関数e-jamkが乗算される８９。この関数は、プリアンブルシンボルmの周波数シフト成分amを含む周波数シフトを表す。乗算器８９の出力は、m番目のWUSプリアンブルシンボルである。
本技法のいくつかの実施形態では、シンボルインデックスmが奇数である場合、am = 0であり、そのため、周波数シフトe-jamk ＝ １であり、その一方で、シンボルインデックスmがゼロまたは偶数である場合については、am = 2πnSである。ここでnは整数であり、Sはサブキャリア間隔（つまり、efeMTCでは15kHz）である。
【００８１】
したがって、WUSプリアンブルに対して、OFDMシンボルは、周波数シフトのあるシンボルと周波数シフトのないシンボルとの間で交替する。
【数３】
2021514155.tif 000005
【００８２】
換言すると、ウェイクアップ信号のプリアンブルを形成する各OFDMシンボルは、一意のシンボルインデックスに関連付けられている。
ここで、連続する他のOFDMシンボルの周波数に対して周波数がシフトされて送信されるOFDMシンボルは、偶数のシンボルインデックスを有するものである。
いくつかの例では、p≠qに対して周波数シフト成分ap = aqなので、すべての周波数シフトされたシンボルの周波数シフトは、同じである。
【００８３】
換言すると、連続する他のOFDMシンボルの周波数に対して周波数がシフトされて送信されるOFDMシンボルは、それぞれ同じ数量だけ周波数がシフトされて送信される。
代替構成では、連続する他のOFDMシンボルの周波数に対して周波数がシフトされて送信されるOFDMシンボルは、それぞれ、それらのシンボルインデックスによって決まる数量だけ周波数がシフトされて送信される。
【００８４】
「狭帯域IoT WUS」
本技法の例示的な実施形態は、広帯域WUSが、一連の狭帯域WUSから形成される構成を提供することができる。
狭帯域WUSは、狭帯域受信機用に構成されたウェイクアップ狭帯域IoT通信デバイスを検出して使用されるように設計される。
【００８５】
狭帯域WUSは結合されて、より広い帯域幅の受信機で構成された通信デバイスをウェイクアップする際に使用する、より広い帯域幅のWUSを形成する。
いくつかの例では、狭帯域WUSは、図７に提供される描写に従って構成される。
この例によれば、狭帯域WUSは、図７に示されるように１２個のサブキャリア９２を含む狭帯域９０で示され、それ故に、NB-IoT WUSに適した狭帯域WUSとなる。
【００８６】
この例では、このウェイクアップ信号は、無線通信システムの無線アクセスインターフェースの狭帯域チャネルの実質的に中央部分で送信される。
中央の１１個のサブキャリアが、１１の長さの他のZC系列を形成するように、ZCルートが選択される。
このようにして、１つの狭帯域幅（１つのPRB（Physical Resource Block））を有するfeNB-IoT用に、中央の１２個のサブキャリア９２が使用される。
【００８７】
そのうちの中央のサブキャリア９４は、UEのDCサブキャリアと一致するため、ゼロになる。
この例では、中央の１２個のサブキャリア９２がfeNB-IoTに使用されるが、他のサブセットの１２個のサブキャリアも使用できるが、そのような場合、feNB-IoT用のDCサブキャリアとして機能するために、他のサブキャリアをゼロにする必要がある。
eFeMTCの場合と同様のダイナミックレンジがWUS検出に必要な場合、帯域幅が狭いため、feNB-IoTにはより多くのWUSプリアンブルシンボルが必要になることが理解される。
【００８８】
本技法のいくつかの実施形態では、feNB-IoT用のWUSプリアンブルは、長さNSC = 11の特有の有機的なZCおよび同等のPN系列で設計される。
換言すると、複数のウェイクアップ信号の各々は、固有の参照系列で送信される。
WUSプリアンブル信号を検出し、信号情報を運搬するWUS信号の一部から信号情報を回収するための例示的な受信機は、特許文献２に開示されており、その内容は、参照により本明細書に組み込まれる。
【００８９】
「狭帯域WUSから広帯域WUSを形成」
上記の説明から理解されるように、（周波数の再利用を可能にするために）異なるセルで異なるWUSが用いられる。
ただし、ある１つのセルのWUSが、他のセルから送信されたWUSに干渉する可能性があるという潜在的な問題がある。
【００９０】
これは、２つのセルのWUS系列が類似しているか、または、相互に関連している場合に発生する。
異なるセル内のWUS間の干渉により、WUSの誤検出またはWUSの誤警報の可能性が高まる。
異なるWUSを使用して、１つのセル内の（同じページングオケージョンを占める）異なるグループのUEをウェイクアップできる。
これにより、（グループ固有のWUSでのページングオケージョンにおいてページングされる可能性のあるUEのサブグループのみをウェイクアップすることができるため）UEの消費電力をさらに削減することができる。
【００９１】
NB-IoT WUSに対する提案がある。このWUSは、単一のPRB（12トーン）を占め、長いZadoff-Chu系列で構成されるが、上記のようにNB-IoT WUSを構築する別の方法があることが理解される。
NB-IoT WUSは、信号対雑音比を下げて動作させるために、期間内に繰り返される。
【００９２】
NB-IoT WUSをefeMTCに再利用する提案があった。
これは、eMTCとNB-IoTのハードウェア設計に共通性を提供するメリットがあるが、eMTCのパフォーマンスに影響する（NB-IoT WUSが単一のPRBを占有するため、NB-IoT WUSの送信電力はより低く、eMTC WUSと同様のSNR（信号対雑音比）で受信するには、より長い時間送信する必要がある）。
【００９３】
NB-IoT WUSの周波数繰り返しを実行して、eMTC WUSを構築することが提案されている。
これにより（eMTC用に1 PRB WUSを用いる場合とは著しく異なって）WUSの総送信時間が短縮されるが、これは、セル間干渉の削減には役立たない。
本技法の実施形態は、無線通信ネットワークの一部を構成するインフラ機器を動作させる方法を提供することができ、このインフラ機器は、１つ以上の通信デバイスと通信するように構成されている。
【００９４】
この方法は、無線アクセスインターフェースを介して送信するためのダウンリンク信号を構成することや、ダウンリンク信号が通信デバイスに送信されるべきであると判断することを含む。無線アクセスインターフェースは、周波数次元においてリソース要素を含み、各々のリソース要素は、直交周波数分割多重シンボルのサブキャリアを運搬するためのものである。
リソース要素は、周波数次元で複数のブロックに形成され、時間次元では無線アクセスインターフェースは、多数のOFDMシンボルを運搬して、インフラ機器から通信デバイスへのダウンリンク信号を送信するために、時間単位に分割される。
【００９５】
ダウンリンク信号は、信号情報、物理通信パラメータ、または、受信側通信デバイスがネットワークとの同期を得ることができる参照（リファレンス）を提供することができる。
ダウンリンク信号の形成は、一連のコンポーネント信号から複数のコンポーネント信号を選択することと、複数のコンポーネント信号用に、リソース要素の複数のブロックのうちの１つ以上、および、１つ以上の時間単位を選択し、コンポーネント信号を送信することとを含む。
【００９６】
一連のコンポーネント信号からの各コンポーネント信号は、リソース要素の１つのブロックおよび１つの時間単位における送信用の一連の信号サンプルから形成され、各コンポーネント信号は、狭帯域幅受信機によって検出可能である。
一例では、NB-IoT信号であるコンポーネント信号は、図７を参照して上記で説明したように、１２個のサブキャリアおよび１１〜１４個のOFDMシンボルから形成され、時間単位は、１つのサブフレームである。
【００９７】
インフラ機器から通信デバイスに信号を送信することは、リソース要素の選択されたブロックにおいて複数の選択されたコンポーネント信号を送信することを含む。
リソース要素の１つのブロックおよび１つの時間単位における送信用の一連の信号サンプルは、例えば前述したように、無線アクセスインターフェースのサブフレーム内のOFDMシンボルの数によって運搬されるZadoff-Chu系列から形成された、狭帯域の、モノのインターネットのウェイクアップ信号（NB-IoT WUS）である。
複数のコンポーネント信号は、eMTC-WUSを形成する。
【００９８】
本技法の実施形態は、eMTC WUSが複数の構成要素NB-IoT WUS系列（コンポーネント信号）から構成される無線通信システムを提供することができる。
NB-IoT WUS系列の配置は、セル間の干渉に対する堅牢性を向上させるか、異なる結合損失（異なる無線通信条件によって引き起こされる異なる経路損失）における動作効率を向上させるか、または、UEのより良いグループ化を提供することができる。
【００９９】
また、以下の実施形態は、WUSの生成に関して説明されるが、本技法の実施形態は、「再同期信号」（RSS）または「MTC同期信号」（MSS）などの同期系列を生成するために使用される、つまり、eMTC同期信号は、NB-IoT同期信号から構築されることを留意されたい。
以下は、複数のNB-IoT WUSからeMTC WUSをどのように構築することができるかを詳述する一連の例示的な実施形態である。
【０１００】
「セル間干渉の軽減：異なるセルで異なるWUSを構築」
本技術の例示的な実施形態によれば、eMTC WUSは、周波数領域におけるNB-IoT WUS系列の周波数繰り返しから構築される。
また、ある１つのセルのeMTC WUS用のコンポーネント信号を、別のセルで使用されるeMTC WUSと異なるように配列することで、WUS信号のセル間干渉は削減される。
そのような配列の一例が、図８および９に示されている。
【０１０１】
図８は、図１および２に示される無線通信システムのいくつかの構成要素をより詳細に示す概略ブロック図を提供する。
図８に示されるように、２つの基地局、gNBまたはTRP１０は、無線通信ネットワークにおける２つのセル、セル１（６０１）およびセル２（６０２）を形成する。
各セル（セル１, ６０１、セル２, ６０２）は、無線信号の伝搬範囲内としてそれぞれのTRP１０から無線信号を送受信できる範囲として構成されており、それ故に、セル６０１、６０２を形成する典型的な線１２によって示されるセル境界が形成されている。
【０１０２】
したがって、図８に示されるTRP１０は、無線通信ネットワークの２つのセル（セル１、セル２）を形成する。
TRP１０はそれぞれ、送信機６１０、受信機６１２およびコントローラ６１４を含む。
送信機６１０は、信号プロセッサ、および、（コントローラ６１４の制御下で無線アクセスインターフェースを形成する図７のものを含んだ）無線信号を送信するための無線周波数回路を含む。
【０１０３】
コントローラ６１４は、TRP１０によって形成された無線アクセスインターフェースのリソースを割り当て、送信機６１０による送信を制御して、信号およびユーザデータを、TRP１０によって形成されたセル１（６０１）、セル２（６０２）内の通信デバイス（UE）１４に送信するスケジューラを構成するか、または、スケジューラの一部である。
受信機６１２は、無線周波数フィルタおよび増幅器、ならびに信号プロセッサなどの構成要件を含み、例えば、通信デバイス（UE）１４によって送信された無線信号を、セル（セル１、セル２）によって形成された無線信号の伝播範囲内で検出する。
【０１０４】
各TRP１０は、図２に示すコアネットワーク２０または分散ユニット（DU）４１、４２などの無線通信ネットワークにおける他の構成要件とネットワークインターフェース接続を構成するためのネットワークインターフェース６１８をさらに含む。
無線通信ネットワークと共に動作して、ネットワークにデータを送信するか、またはネットワークからデータを受信するUE１４の例示的な図が示されている。
【０１０５】
UE１４は、送信機６２０、受信機６２２、およびコントローラ６２４を含む。
送信機６２０は、信号およびユーザデータを送信するために、信号処理デバイス、無線周波数変調器および増幅器を含み、TRP１０によって提供される無線アクセスインターフェースを介してTRP１０に無線信号を運ぶデータを送信する。
受信機６２２は、信号プロセッサ、無線周波数フィルタおよび増幅器を備え、無線アクセスインターフェースを介してTRP１０から送信された無線信号を検出し、TRP１０からダウンリンクで信号メッセージおよびユーザデータを受信する。
【０１０６】
送信機６２０および受信機６２２は、ソフトウェアまたはハードウェアによって構成されたプロセッサを含むコントローラ６２４によって制御される。
図８に示すように、広帯域WUS信号を送信する例と一致して、UE14は、eMTCデバイスとして動作するように構成されており、狭帯域IoTデバイスが受信できる帯域幅よりも広い帯域幅で送信される無線信号を受信するように構成される。
【０１０７】
以下の例示的な実施形態で説明するように、異なるセル（セル１, ６０１、セル２, ６０２）内の各ＴＲＰ１０は、それぞれのUE１４で検出される対応セル（セル１, ６０１、セル２, ６０２）のそれぞれに対して、矢印６４４、６４６によって表されるように、セル６０１、６０２内のそれぞれのUE１４に、異なるより広い帯域幅WUS６４０、６４２を送信するように構成される。
ただし、隣接セルにおいて送信されるWUSの同一チャネル干渉が可能な限り削減されるように、WUSは設計されている。
【０１０８】
eMTC WUS信号６４０、６４２のそれぞれは、それぞれが単一のPRBを占有するNB-IoT WUSの異なる組み合わせを含み、WUS６４０、６４２の各ブロック６６０は、異なるNB-IoT WUSを表している。
このWUSの設計が、図９に示されている。
【０１０９】
図９は、セルIDに応じてeMTC WUS系列を作成するために、周波数領域においてNB-IoT WUS系列の順序が用いられる配列を示す概略図を提供する。
この配列は、次の２つの技術のいずれかで実現できる。
【０１１０】
・セル１（例えばセル６０１）のeMTC WUSが、セル２（例えばセル６０２）のeMTC WUSとは異なる一連のNB-IoT WUS系列から構築される。ここで、この一連のNB-IoT WUS系列の各々は、例えば、異なるZadoff-ChuまたはPN系列から形成されるか、または同じ系列を周期的にシフトすることによって形成される。
・一連のNB-IoT WUS系列が、セル１とセル２の両方でeMTC WUSを構築するために用いられる。セル１で用いられるNB-IoT WUS系列の連結の順序は、セル２で用いられる順序と異なる。
これは図９に示されており、セル１ではeMTC WUS系列は、一連のNB-IoT WUS系列から{A, B, C, D, E, F}の順序で作成されているが、セル２では同一のNB-IoT WUS系列が用いられているが、{D, E, F, A, B, C}の順序を作成するように周期的にシフトされている。
【０１１１】
〇図９は、セル１とセル２を区別するための系列の周期的なシフトを示しているが、他の配列も適用可能であることが理解される（例えば、セル２はNB-IoT WUS系列を逆の順序{F, E, D, C, B, A}で使用でき、{B, A, D, C, F, E}を作成するために並べ替えられたNB-IoT WUS系列の組み合わせを有することもでき、準ランダムな並べ替えなどを用いることもできる）。
〇この一連のNB-IoT WUS系列は、部分的に重なっている場合と、完全に重なっている場合とがある。
【０１１２】
「セル間干渉の軽減：異なるセルでの期間内でのWUS系列の変更」
他の例示的な実施形態によれば、１つのサブフレームにおけるWUS系列の構成が、他のサブフレームとは異なる構成要件NB-IoT WUS系列の配列を用いるNB-IoT WUS系列から、eMTC WUSは構築される。
サブフレームで用いられる一連の構成要件NB-IoT WUS系列は、セルIDに応じたものであり、同一の一連のNB-IoTWUS系列は、異なるセルにおいて使用されるが、これらのNB-IoT系列は、異なるサブフレームにおいて用いられる。
これにより、ある１つのセルの構成要件NB-IoT WUS系列が、他のセルの同一の系列に干渉しないことが保証される。
【０１１３】
他のサブフレームのNB-IoT WUS系列に対して異なる、１つのサブフレームのNB-IoT WUS系列を用いた配列が図１０に示されている。
図１０では、セル１は、サブフレーム１ではNB-IoT WUS系列６６０{A, B, C, D, E, F}を用い、サブフレーム２ではNB-IoT WUS系列６６２{L, M, N, O, P, Q}を用いている。
【０１１４】
セル２において同一の一連の系列が用いられているが、セル２ではサブフレーム２において一連の構成要件NB-IoT WUS系列６６０{A, B, C, D, E, F}が用いられ、その一方で、第２の一連のNB-IoT系列６６２{L, M, N, O, P, Q}は、サブフレーム１において用いられている。
したがって、この系列は、両方のセルにおいて同時にアクティブとならないので、セル１の第１の系列６６０は、セル２において使用される第１の系列６６０と干渉しない。
さらに、第１の系列６６０と第２の系列６６２との間の相関が十分に低い場合、セル１の第１の系列６６０は、第１のサブフレームのセル２において使用される第２の系列６６２と干渉しない。
【０１１５】
UEは、サブフレーム内の構成系列の順序に基づいて、セル１のWUSとセル２のWUSを区別することができる。
例えば、セル２のUEは、第１のサブフレームで系列{L, M, N, O, P, Q}を検索し、その後に、次のサブフレームで系列{A, B, C, D, E, F}を検索する。
セル２のUEは、セル１のWUSを、系列{L, M, N, O, P, Q}の後に系列{A, B, C, D, E, F}が来ていない（逆に、系列{L, M, N, O, P, Q}の前に系列{A, B, C, D, E, F}が来ている）ので、セル２の有効なWUSとは見なさない。
【０１１６】
これにより、セル間の干渉をさらに軽減できる。
これは、１つのサブフレームにおけるeMTC WUS系列が、他のセルのeMTC WUS系列と相関特性が低い場合、後続のサブフレームにおけるeMTC WUS系列に対する相関特性が低い可能性が低いためである。
【０１１７】
他の実施形態では、NB-IoT WUS系列の構成、例えば、{A, B, C, D, E, F}は、セルIDに応じたものである。したがって、これにより、異なるセルIDの使用ごとに異なる系列構成を確保することができる。
【０１１８】
「狭帯域内周波数ホッピングによるセル間干渉の軽減」
基地局とUEの間の距離に伴うパス損失または信号強度損失を説明するために使用される用語である低結合損失においては、eMTC WUSをより低い送信電力、または、使用可能な最大数より少ないPRB、例えば、６つのPRBで送信してもよい。
したがって、eMTC WUSは単一のNB-IoT WUS系列から構成できるが、単一のNB-IoT WUSシーケンスは、隣接するセルでの対応する送信との干渉を回避するために、異なる時間または周波数で送信される。
そのような例が図１１に示されている。図１１は、単一のNB-IoT WUS系列が周波数ホッピングされた例示的な実施形態を提供しており、このホッピングパターンは、異なるセルに対して異なるものである。
【０１１９】
図１１に示すように、eMTC狭帯域で使用される物理リソースブロックPRB７０１は、周波数ホッピングされ、この周波数ホッピング系列は、セルIDによって決まる。
異なる周波数ホッピング系列が、異なるセルに適用される場合、それらの異なるセルのWUS系列間のセル間干渉は、軽減すなわち少なくとも低減される。
この例示的な実施形態が図１１に示されている。
【０１２０】
単一のPRBを占める構成要件NB-IoT WUSの周波数ホッピングは、eMTC狭帯域内で発生するものとして図１１に示されており、eMTC狭帯域自体は、周波数ホッピングされない。
他の実施形態では、eMTC狭帯域自体も周波数ホッピングされてよい。
図１１では、セル１と呼ばれる最初のセルにおいて、影付きのボックス７０１として示される特定の一連のPRBが、NB-IoT WUS系列の送信用に用いられ、一連の６つのPRB７０２が周波数次元および複数の６つのサブフレーム７０４において提供されている。
【０１２１】
このセル１では周波数ホッピングが適用されている。
この例では、PRBの周波数位置の簡素な線形増加が、時間に関して提供されている。
２番目のセルであるセル２では、セル１と同一のNB-IoT WUS系列が用いられているが、そのNB-IoT WUS系列の送信に用いられているPRBは、異なるパターンで周波数ホッピングされている。
したがって、セル２で使用されているPRBは、周波数領域においてセル１に対して１PRBオフセットされている。したがって、セル１とセル２とでは異なる周波数ホッピングパターンが用いられる。
【０１２２】
図１１の例では、単一の系列が周波数ホッピングで使用されることを示しているが、系列ホッピングが、周波数ホッピングと組み合わせて用いられてもよい。
例えば、最初のサブフレーム７２０では系列Aが、１番目のPRB７０１で使用され、２番目のサブフレーム７２２では系列Bが、２番目のPRB７０６で使用され、３番目のサブフレーム７２４では系列Cが、３番目のPRB７０８で使用されたりする。
【０１２３】
他の例示的な実施形態では、周波数ホッピングパターンは、セルＩＤに応じたものであってよい。
１つのセルのeMTC WUS系列が他のセルの系列と異なる構成を有するうえでの利点は、次のとおりである。
・セル間干渉が軽減される。
〇従来技術では、周波数繰り返しにより、セル１で{A, A, A, A, A, A}として、セル２で{B, B, B, B, B, B}として構成されるeMTC WUS系列がもたらされる。AがBに対して不十分な相関特性を有する場合、セル１およびセル２のeMTC WUS系列は互いに干渉する。
〇（上記のように）本技法の実施形態では、セル１およびセル２の系列がそれぞれ、{A, B, C, D, E, F}および{D, E, F, A, B, C}である場合、系列Aは、系列Dに対して低い相関特性を有する可能性はあるが、他のすべてのNB-IoT系列が互いに低い相関特性を有することはほとんどない。したがって、この例示的な実施形態は、周波数繰り返しが適用されるときに、系列の多様性を提供する。
【０１２４】
「結合損失に応じた時間および周波数のリソース使用」
WUSが最大持続時間を有することができ、WUSの実際の持続時間が、基地局または少なくともコアネットワークのインフラ機器によって決定されることが提案されている。 
UEは、複数の仮説（ブラインドデコーディング候補）に基づいてWUSをデコードする必要があるため、これでは問題が生じる。
これにより、誤警報率が増加し、検出されたWUSの時間位置が不明確になり、UEの複雑性も増加してしまう。
【０１２５】
本技法の例示的な実施形態では、eMTC WUSは、構成要件NB-IoT WUS系列から構成される。
eMTC WUS系列の長さは一定であり、つまり、eMTC WUSの「最大」持続時間は存在せず、WUSの固定期間のみが存在する。
ただし、WUSに適用されるリソースの容量は、結合損失が低い場合はNB-IoTの構成要件WUS系列をより少なく使用し、結合損失が大きい場合はNB-IoTの構成要件WUS系列をより多く使用することで異なるものになる。
このような配置例は、図１２に示す概略ブロック図で表され、この図１２は、図８に対応する部分を有し、高結合損失および低結合損失の異なるeMTC WUSのより詳細な描写は、図１３に示されている。
【０１２６】
図１２の例示的な実施形態によって示されるように、単一の基地局またはTRP２１０は、矢印８０４、８０６によって表されるように、同一のセル内の異なるUE２１４．１、２１４．２に、異なるWUS８０１、８０２を送信するように示されている。
TRP２１０およびUE２１４．１、２１４．２は、図８に示すものと同様の構成要件を備えているため、再度説明しない。
【０１２７】
図１２に示される例の場合、２つのUE２１４．１、２１４．２の各々は、TRP２１０から異なる距離に位置し、したがって、異なる経路損失および無線伝搬条件を被る。
図１２に示され、図１３を参照して説明される例の場合、第１のUE２１４．１への無線通信状態がよりわるいことによる結合損失は、より低い結合損失を被る、第２のUE２１４．２への無線通信状態がより良いことによる結合損失よりも大きい。
【０１２８】
図１３は、PRB８２４が周波数次元にあり、サブフレーム８２６が時間次元にある、時間および周波数における通信リソースの描写を提供している。
図１３に示す例示的な実施形態によれば、低結合損失または経路損失（低ＣＬ）８０２で使用されるeMTC WUSは、陰影付きPRBで示された３つの構成要件WUS信号８４０、８４２、８４４のみを含む。各単一の構成要件WUS信号は、２つのサブフレーム８２６および６つのPRB８２４ごとの１つのNB-IoT WUS系列に対応する。
【０１２９】
そのため、インフラ機器（TRPまたはeNB）は、低結合損失８０２の場合、８４０、８４２、８４４の３つのNB-IoT WUS系列のみが送信されるように、無線通信条件に従ってeMTC WUS信号を適合させるように構成されている。
その一方で図１３に示すように、高結合損失（「高CL」）８０１の場合、eMTC WUSは、時間領域と周波数領域の両方において、より多くの構成要件NB-IoT WUS系列を含む。
【０１３０】
高結合損失の例８０１について図１３に示すように、各サブフレーム８２６の各PRB８２４において、NB-IoT WUS系列が送信されている。
この、より高密度のWUS８０１は、より多くのエネルギがこのWUS内で伝送されるため、より高い結合損失で動作できる。
【０１３１】
図１３に示されている例示的な実施形態の場合、低結合損失８０２で使用されるeMTC WUS、および、高結合損失８０１で使用されるeMTC WUSは、双方とも同一の固定期間を有する。
その結果、UEは、PRB８２４およびサブフレーム８２６によって定義されるこの時間および周波数の空間で信号を検索するだけでよいことを認識しているため、UEがデコードしなければならないWUS仮説の数が削減される。
したがって、結合損失に関係なく、eMTC WUSには１つの開始時間および１つの終了時間が存在するため、eMTC WUSのタイミングは、より明確に定義される。
【０１３２】
「UEのサブグループを作成」
UEの電力消費を低減するために、同一のページングオケージョンを共有するUEのサブグループのみをウェイクアップできるのが望ましい。
例えば、UE1およびUE2がサブグループ「X」に属し、UE3およびUE4がサブグループ「Y」に属し、それらのすべてのUEが、同じページングオケージョンを使用する場合を考える。
【０１３３】
UE1がページングされる場合、WUSがサブグループ「X」のUEのみに適用されると、UEの電力が節約される。
この場合、サブグループ「Y」のUEは、次のページングオケージョン時にサブグループ「Y」のWUSを検出せず、スリープとなる。
例示的な一実施形態によれば、eMTC WUSは、構成要件NB-IoT WUS系列からeMTC WUSを作成し、特定のサブグループに送信するeNBまたはTRPによって構築される。
【０１３４】
ある１つのWUSサブグループ内のUEは、そのWUSサブグループに特有の構成要件NB-IoT WUS系列の配列で構成されるeMTC WUSを使用する。
本技法の例示的な一実施形態が、この態様を示す図１４に示されている。
図１４に示すように、２つのeMTC WUS 901, 902は、１サブフレーム９０６において６つのPRB９０４で送信されるWUS系列{A, B, C, D, E, F}の異なる周期的シフトで構成されるUEの異なるサブグループに対して形成されている。
【０１３５】
サブグループ「X」のUEは、系列{A, B, C, D, E, F}のeMTC WUSを用いているが、サブグループ「Y」のUEは、系列{D, E, F, A, B, C}のeMTC WUSを用いている。
図１４に示す例示的な実施形態は、サブグループ「X」およびサブグループ「Y」用のWUSが、それらは同一のサブフレーム９０６において送信されるため、時間的に分離されていることを示していないが、他の実施形態では、サブグループ「X」およびサブグループ「Y」用のWUSは、時間的に分離され得る。
【０１３６】
したがって、図８および９のWUS信号例が異なるセルにおいて送信されている一方で、図１４ではWUS信号例が同一のセルにおける異なるサブグループに送信されていることを除いて、図１４は、図８および９に示す例示的な実施形態に対応する。
【０１３７】
図１４に示す例示的な実施形態の場合、この例に従ってWUS信号を送信するように構成されたeNBまたはTRP（インフラ機器）は、サブグループ「X」またはサブグループ「Y」の複数のUEのみに同時に（ページングまたはウェイクアップ）信号を送信できるが、サブグループ「X」とサブグループ「Y」の両方のUEは、同時にページングされない。
理解されるように、異なるPRBリソースを占有する構成要件NB-IoT WUS系列を使用してeMTC WUS系列を構築することにより、複数のサブグループが、同時にページングされる。
【０１３８】
そのような例を提供する例示的な実施形態が、図１５に示されている。
図１５において、サブグループ「Y」は、PRB９２０を占有するサブグループ「X」（{A, B, C}）に使用されるNB-IoT WUS系列に対して、異なるPRB９２２を占有する異なるNB-IoT WUS系列（{D, E, F}）を使用する。
【０１３９】
同様の技術的な利益を提供する他の配列が存在する。
・両方のサブグループは、NB-IoT WUS系列{A, B, C}を使用するが、サブグループ「X」の系列は、サブグループ「Y」の系列とは異なるPRBを使用する。
・サブグループ「X」の構成要件NB-IoT WUS系列は、PRB領域において隣接しない（サブグループ「Y」の場合も同様）。例えば、サブグループ「X」のeMTC WUSは、PRB{0, 2, 4}においてそれぞれNB-IoT系列{A, B, C}を使用し、サブグループ「Y」のeMTC WUSは、PRB{1, 3, 5}においてNB-IoT系列{D, E, F}を使用する。
【０１４０】
「動作概要」
図１６は、本技法による、基地局またはインフラ機器から通信デバイス（ＵＥ）への送信用の信号を生成するプロセスの例示的なフローチャートを提供する。図１６は、次のように要約される。
ステップＳ１００：  インフラ機器は、信号情報または物理通信パラメータを通信するための信号である、UEへの送信用の信号を決定する。
ステップＳ１０２：  第２のステップＳ１０２は、一連のコンポーネント信号から複数のコンポーネント信号を選択することを含む。一連のコンポーネント信号における各コンポーネント信号は、多数のOFDMシンボルにおけるリソース要素のブロックの１つ、および、時間単位（サブフレーム）の１つにおける送信用の信号サンプルの１つの系列から形成されている。各コンポーネント信号は、狭帯域幅受信機で検出できる。
【０１４１】
コンポーネント信号は、送信される信号の種類に応じて選択される。これは、同じセル内または別のセルからの同一チャネル干渉を回避するためのものか、若しくは、信号が、高い結合損失または低い結合損失で送信されるものかである。
したがって、コンポーネント信号の選択は、コンポーネント信号が送信されるリソース要素のブロックと、これらのブロックが、同じセルまたは別のセルにおいて同時に送信される他の信号によって占有されているかどうかと、によって決まる。
より具体的には、広帯域幅のeMTC WUSは、同一チャネル干渉などを回避するために送信される信号の種類に従ったNB-IoT WUSの組み合わせから形成される。
【０１４２】
ステップＳ１０４：  第３のステップＳ１０４は、複数のコンポーネント信号のそれぞれについて、リソース要素のブロックの１つおよび時間単位の１つを選択して、コンポーネント信号を送信することを含む。
この選択は、周波数ホッピングパターンに従って、若しくは、同じセルまたは異なるセルにおいて同時に送信される信号に従って行われてもよい。
【０１４３】
一例では、コンポーネント信号は、同時送信信号が選択される同一の一連のコンポーネント信号から選択され、その場合、選択されたコンポーネント信号は、リソース要素のブロックのそれぞれにおいて異なるように配列される。
ステップＳ１０６：  第４のステップＳ１０６として、複数の選択されたコンポーネント信号が、広帯域幅の信号として、リソース要素の選択されたブロックで送信される。
【０１４４】
当業者は、本明細書で定義されるインフラ機器および／または通信デバイスが、前の段落で説明された様々な構成および実施形態に従ってさらに定義されることを理解するであろう。
本明細書で定義されて説明されたインフラ機器および通信デバイスは、本発明によって定義されたもの以外の通信システムの一部を形成してもよいことが当業者にさらに理解される。
【０１４５】
次の番号の付いた段落は、本技法のさらなる例示的な態様および特徴を示している。
【０１４６】
（１）１台以上の通信デバイスと通信するための無線通信ネットワークの一部を構成するインフラ機器を操作する方法であって、
１台の通信デバイスに情報を提供するために、ダウンリンク信号が上記通信デバイスに送信される必要があることを判定することと、
無線アクセスインターフェースを介して送信するための上記ダウンリンク信号を形成することと、
上記インフラ機器から上記通信デバイスへ上記ダウンリンク信号を送信することと、
を含み、
上記無線アクセスインターフェースは、周波数次元でリソース要素を含み、上記リソース要素の各々は、直交周波数分割多重、OFDMシンボルのサブキャリアを伝送するためのものであり、上記リソース要素は、周波数次元でリソース要素の複数のブロックに形成され、時間次元で上記無線アクセスインターフェースは、複数の時間単位に分割され、上記時間単位の各々は、複数のOFDMシンボルを伝送するためのものであり、
上記ダウンリンク信号を形成するときに、
一連のコンポーネント信号から複数のコンポーネント信号を選択することと、
上記複数のコンポーネント信号の各々について、上記リソース要素の上記ブロックの１つおよび上記時間単位の１つを選択して、上記コンポーネント信号を送信し、上記インフラ機器から上記通信デバイスに上記ダウンリンク信号を送信することと、
上記リソース要素の選択されたブロック内の選択された複数のコンポーネント信号を、広帯域幅の信号として送信することとを含み、
上記一連のコンポーネント信号の各コンポーネント信号は、上記複数のOFDMシンボルによる、上記リソース要素の上記ブロックの１つ、および、時間単位の１つから形成され、各コンポーネント信号は、狭帯域幅受信機で検出可能である
方法。
（２）上記（１）に記載のモバイル機器であって、
上記無線アクセスインターフェースの上記リソース要素のブロックにおいて送信される、上記一連のコンポーネント信号からの複数のコンポーネント信号から形成される、少なくとも１つの他の信号からの同一チャネル干渉を低減するように、
上記一連のコンポーネント信号から選択される複数のコンポーネント信号と、この複数のコンポーネント信号を送信するための、対応する上記リソース要素の複数のブロックおよび時間単位の１つ以上との一方または両方が選択される
方法。
（３）上記（２）に記載のモバイル機器であって、
上記インフラ機器から上記通信デバイスへ上記ダウンリンク信号を送信するときに、
上記インフラ機器によって形成される上記無線通信ネットワークの第１のセル内で動作する上記通信デバイスに、上記ダウンリンク信号を送信することを含み、
上記第１のセルは、上記少なくとも１つの他の信号が送信される他のインフラ機器によって形成される第２のセルとは異なる
方法。
（４）上記（２）に記載のモバイル機器であって、
上記インフラ機器から上記通信デバイスへ上記ダウンリンク信号を送信するときに、
上記インフラ機器によって形成され、上記少なくとも１つの他の信号が送信される上記無線通信ネットワークの１つのセル内で動作する上記通信デバイスに、上記ダウンリンク信号を送信することを含み、
上記ダウンリンク信号が送信される上記通信デバイスは、第１のグループの通信デバイスの一部を形成し、その他の信号が、他のグループの通信デバイスを形成する１つ以上の通信デバイスに送信される
方法。
（５）上記（２）〜（４）のいずれかに記載のモバイル機器であって、
上記複数のコンポーネント信号の各々について、上記リソース要素の複数のブロックおよび時間単位の１つを選択して、上記コンポーネント信号を送信し、
上記少なくとも１つの他の信号の上記複数のコンポーネント信号の１つが送信されない、上記リソース要素のブロックの１つおよび時間単位の１つを選択することを含み、
この上記リソース要素のブロックの選択は、上記少なくとも１つの他の信号の上記複数のコンポーネント信号が送信される上記無線アクセスインターフェースの上記リソース要素のブロックとは相互に排他的なものである
方法。
（６）上記（２）〜（４）のいずれかに記載のモバイル機器であって、
上記複数のコンポーネント信号の各々について、上記リソース要素のブロックおよび時間単位の１つ以上を選択して、上記コンポーネント信号を送信し、
上記少なくとも１つの他の信号の上記複数のコンポーネント信号の１つが送信される上記リソース要素のブロックの１つと同一である、上記リソース要素のブロックの１つおよび時間単位の１つを選択することを含み、
上記一連のコンポーネント信号から上記複数のコンポーネント信号を選択するときに、リソース要素の同一のブロックおよび同一の時間単位において、上記少なくとも１つの他の信号のコンポーネント信号として送信されるコンポーネント信号の１つとは異なるものになるように、上記コンポーネント信号を選択することを含む
方法。
（７）上記（５）に記載のモバイル機器であって、
上記一連のコンポーネント信号から上記複数のコンポーネント信号を選択するときに、リソース要素の同一のブロックおよび同一の時間単位において、上記少なくとも１つの他の信号のコンポーネント信号として送信されるコンポーネント信号の１つとは異なるものになるように、上記コンポーネント信号を選択することを含む
方法。
（８）上記（１）〜（３）のいずれかに記載のモバイル機器であって、
上記一連のコンポーネント信号から上記複数のコンポーネント信号を選択するときに、セルの識別番号を示すように上記複数のコンポーネント信号を選択することを含む
方法。
（９）上記（１）に記載のモバイル機器であって、
上記リソース要素の複数のブロックの１つ以上および上記時間単位の１つ以上を選択して、上記コンポーネント信号を送信し、そのときに、
周波数ホッピングパターンに従って、複数の上記時間単位の各々における上記リソース要素の複数のブロックの１つ以上を選択することを含む
方法。
（１０）上記（９）に記載のモバイル機器であって、
上記周波数ホッピングパターンは、セルの識別番号によって決まる
方法。
（１１）上記（１）〜（１０）のいずれかに記載のモバイル機器であって、
上記コンポーネント信号の各々は、信号サンプルの系列を含み、
上記コンポーネント信号の各々は、上記一連の信号コンポーネントの他の信号コンポーネントの各々との相互相関が低い
方法。
（１２）上記（１）〜（１０）のいずれかに記載のモバイル機器であって、
信号サンプルの上記系列は、Zadoff-Chu系列から形成され、
上記信号サンプルの各々は、Zadoff-Chu系列の係数から形成される
方法。
（１３）上記（１２）に記載のモバイル機器であって、
上記一連のコンポーネント信号内の複数のコンポーネント信号は、同一のZadoff-Chu系列から形成され、互いに周期的にシフトされる
方法。
（１４）上記（１）に記載のモバイル機器であって、
上記複数のコンポーネント信号の数は、無線信号の経路損失に影響を与える無線状態の相対的な表示度数に従って選択され、
この数は、無線信号の経路損失が大きいほど大きい
方法。
（１５）１台以上の通信デバイスと通信するための無線通信ネットワークの一部を構成するインフラ機器であって、
上記インフラ機器によって構成された無線アクセスインターフェースを介して信号を送信するように構成された送信機回路と、
上記インフラ機器を介して上記１台以上の通信デバイスによって送信された信号を受信するように構成された受信機回路と、
上記送信機回路および上記受信機回路を制御するように構成されたコントローラ回路と
を具備し、
上記コントローラ回路は、
１台の通信デバイスに情報を提供するために、ダウンリンク信号が上記通信デバイスに送信される必要があることを判定し、
無線アクセスインターフェースを介して送信するための上記ダウンリンク信号を形成し、かつ、
上記インフラ機器から上記通信デバイスへ上記ダウンリンク信号を送信する上記送信機を制御する
ように構成され、
上記無線アクセスインターフェースは、周波数次元でリソース要素を含み、上記リソース要素の各々は、直交周波数分割多重、OFDMシンボルのサブキャリアを伝送するためのものであり、上記リソース要素は、周波数次元でリソース要素の複数のブロックに形成され、時間次元で上記無線アクセスインターフェースは、複数の時間単位に分割され、上記時間単位の各々は、複数のOFDMシンボルを伝送するためのものであり、
上記コントローラ回路は、
一連のコンポーネント信号から複数のコンポーネント信号を選択することによって、上記ダウンリンク信号を形成し、
上記複数のコンポーネント信号の各々について、上記リソース要素のブロックの１つおよび時間単位の１つを選択して、上記コンポーネント信号を送信し、かつ、
上記リソース要素の選択されたブロック内の選択された複数のコンポーネント信号を、広帯域幅の信号として送信する上記送信機を制御する
ように構成され、
上記一連のコンポーネント信号の各コンポーネント信号は、上記リソース要素のブロックの１つ、および、上記複数のOFDMシンボルの時間単位の１つから形成され、各コンポーネント信号は、狭帯域幅受信機で検出可能である
インフラ機器。
（１６）上記（１５）に記載のモバイル機器であって、
上記コントローラ回路は、
上記無線アクセスインターフェースの上記リソース要素のブロックにおいて送信される、上記一連のコンポーネント信号からの複数のコンポーネント信号から形成される、少なくとも１つの他の信号からの同一チャネル干渉を低減するように、
上記一連のコンポーネント信号から選択される複数のコンポーネント信号と、この複数のコンポーネント信号を送信するための、対応する上記リソース要素の複数のブロックおよび時間単位の１つ以上との一方または両方が選択される
ように上記送信機回路と組み合わせて構成される
インフラ機器。
（１７）上記（１６）に記載のモバイル機器であって、
上記コントローラ回路は、
上記インフラ機器によって形成される上記無線通信ネットワークの第１のセル内で動作する上記通信デバイスに、上記ダウンリンク信号を送信し、
上記第１のセルは、上記少なくとも１つの他の信号が送信される他のインフラ機器によって形成される第２のセルとは異なる
ように上記送信機回路と組み合わせて構成される
インフラ機器。
（１８）上記（１６）に記載のモバイル機器であって、
上記コントローラ回路は、
上記インフラ機器によって形成され、上記少なくとも１つの他の信号が送信される上記無線通信ネットワークの１つのセル内で動作する上記通信デバイスに、上記ダウンリンク信号を送信し、
上記ダウンリンク信号が送信される上記通信デバイスは、第１のグループの通信デバイスの一部を形成し、その他の信号が、他のグループの通信デバイスを形成する１つ以上の通信デバイスに送信される
ように上記送信機回路と組み合わせて構成される
インフラ機器。
（１９）上記（１６）〜（１８）のいずれかに記載のモバイル機器であって、
上記コントローラ回路は、
上記少なくとも１つの他の信号の上記複数のコンポーネント信号の１つが送信されない、上記リソース要素のブロックの１つおよび時間単位の１つを選択し、
この上記リソース要素のブロックの選択は、上記少なくとも１つの他の信号の上記複数のコンポーネント信号が送信される上記無線アクセスインターフェースの上記リソース要素のブロックとは相互に排他的なものである
ように構成される
インフラ機器。
（２０）上記（１６）〜（１８）のいずれかに記載のモバイル機器であって、
上記コントローラ回路は、
上記少なくとも１つの他の信号の上記複数のコンポーネント信号の１つが送信される上記リソース要素のブロックの１つと同一である、上記リソース要素のブロックの１つおよび時間単位の１つを選択し、
リソース要素の同一のブロックおよび同一の時間単位において、上記少なくとも１つの他の信号のコンポーネント信号として送信されるコンポーネント信号の１つとは異なるものになるように、上記コンポーネント信号を選択する
ように構成される
インフラ機器。
（２１）上記（１９）に記載のモバイル機器であって、
上記コントローラ回路は、
リソース要素の同一のブロックおよび同一の時間単位において、上記少なくとも１つの他の信号のコンポーネント信号として送信されるコンポーネント信号の１つとは異なるものになるように、上記コンポーネント信号を選択する
ように構成される
インフラ機器。
（２２）上記（１５）〜（２１）のいずれかに記載のモバイル機器であって、
上記コントローラ回路は、セルの識別番号を示すように上記複数のコンポーネント信号を選択するように構成される
インフラ機器。
（２３）上記（１５）に記載のモバイル機器であって、
上記コントローラ回路は、周波数ホッピングパターンに従って、複数の上記時間単位の各々における上記リソース要素の複数のブロックの１つ以上を選択するように構成される
インフラ機器。
（２４）上記（２３）に記載のモバイル機器であって、
上記周波数ホッピングパターンは、セルの識別番号によって決まる
インフラ機器。
（２５）上記（１５）〜（２４）のいずれかに記載のモバイル機器であって、
上記コンポーネント信号の各々は、信号サンプルの系列を含み、
上記コンポーネント信号の各々は、上記一連の信号コンポーネントの他の信号コンポーネントの各々との相互相関が低い
インフラ機器。
（２６）上記（１５）〜（２４）のいずれかに記載のモバイル機器であって、
信号サンプルの上記系列は、Zadoff-Chu系列から形成され、
上記信号サンプルの各々は、Zadoff-Chu系列の係数から形成される
インフラ機器。
（２７）上記（２６）のいずれかに記載のモバイル機器であって、
上記一連のコンポーネント信号内の複数のコンポーネント信号は、同一のZadoff-Chu系列から形成され、互いに周期的にシフトされる
インフラ機器。
（２８）上記（１５）に記載のモバイル機器であって、
上記複数のコンポーネント信号の数は、無線信号の経路損失に影響を与える無線状態の相対的な表示度数に従って選択され、
この数は、無線信号の経路損失が大きいほど大きい
インフラ機器。
（２９）無線通信ネットワークで動作するユーザ装置においてダウンリンク信号を受信する方法であって、
上記無線通信ネットワークによって形成された無線通信ネットワークを介して送信されたダウンリンク信号を受信する
ことを含み、
無線アクセスインターフェースは、周波数次元でリソース要素を含み、上記リソース要素の各々は、直交周波数分割多重、OFDMシンボルのサブキャリアを伝送するためのものであり、上記リソース要素は、周波数次元でリソース要素の複数のブロックに形成され、時間次元で上記無線アクセスインターフェースは、複数の時間単位に分割され、上記時間単位の各々は、複数のOFDMシンボルを伝送するためのものであり、
上記ダウンリンク信号は、一連のコンポーネント信号から選択された複数のコンポーネント信号を含み、
上記一連のコンポーネント信号の上記コンポーネント信号の各々は、上記複数のOFDMシンボルによって上記リソース要素の上記ブロックの１つおよび上記時間単位の１つにおいて送信される信号サンプルの１つの系列から形成され、
各コンポーネント信号は、狭帯域幅受信機で検出可能であり、
上記複数のコンポーネント信号の各々は、上記リソース要素の上記ブロックの１つおよび上記時間単位の１つにおいて送信され、かつ、
選択された複数のコンポーネント信号は、広帯域幅の信号として上記リソース要素の選択されたブロックから受信される
方法。
（３０）無線通信ネットワークで動作するためのユーザ装置であって、
上記無線通信ネットワークによって形成された無線通信ネットワークを介して送信されたダウンリンク信号を受信するように構成された受信機回路
を具備し、
上記ユーザ装置は、
無線アクセスインターフェースは、周波数次元でリソース要素を含み、上記リソース要素の各々は、直交周波数分割多重、OFDMシンボルのサブキャリアを伝送するためのものであり、上記リソース要素は、周波数次元でリソース要素の複数のブロックに形成され、時間次元で上記無線アクセスインターフェースは、複数の時間単位に分割され、上記時間単位の各々は、複数のOFDMシンボルを伝送するためのものであり、
上記ダウンリンク信号は、一連のコンポーネント信号から選択された複数のコンポーネント信号を含み、
上記一連のコンポーネント信号の上記コンポーネント信号の各々は、上記複数のOFDMシンボルによって上記リソース要素の上記ブロックの１つおよび上記時間単位の１つにおいて送信される信号サンプルの１つの系列から形成され、
各コンポーネント信号は、狭帯域幅受信機で検出可能であり、
上記複数のコンポーネント信号の各々は、上記リソース要素の上記ブロックの１つおよび上記時間単位の１つにおいて送信され、かつ、
選択された複数のコンポーネント信号は、広帯域幅の信号として上記リソース要素の選択されたブロックにおいて受信される
ように上記受信機回路と組み合わせて構成される
ユーザ装置。
【０１４７】
上記の教示に照らして、本開示の多数の修正および変形が可能である。
したがって、添付の特許請求の範囲内で、本開示は、本明細書に具体的に記載されている以外の方法で実施されてもよいことが理解される。
本開示の実施形態が、少なくとも部分的に、ソフトウェア制御のデータ処理装置によって実装されるものとして説明されている限りは、光ディスク、磁気ディスク、半導体メモリなどのソフトウェアを扱う非一時的な機械可読媒体が、本開示の一実施形態を表すとさらに考えられることが認識される。
【０１４８】
発明を明確にするために上記の説明は、異なる機能ユニット、回路、および／またはプロセッサを参照して複数の実施形態を説明していることが理解される。
しかしながら、これらの複数の実施形態を損なうことなく、異なる機能ユニット、回路、および／またはプロセッサの間の機能の、任意の適切な分配が使用され得ることは明らかである。
本明細書において説明された実施形態は、ハードウェア、ソフトウェア、ファームウェア、またはこれらの任意の組み合わせを含んだ任意の適切な構成で実装され得る。
【０１４９】
本明細書において説明された実施形態は、１つ以上のデータプロセッサおよび／またはデジタル信号プロセッサ上で実行されるコンピュータソフトウェアとして、少なくとも部分的に任意に実装されてよい。
任意の実施形態における要素および構成要件は、任意の適切な方法で物理的、機能的および論理的に実装される。
実際には、機能性は、単一のユニット、複数のユニット、または他の機能ユニットの一部として実装されてよい。
【０１５０】
したがって、開示された実施形態は、単一のユニットで実装されてもよく、または異なるユニット、回路および／またはプロセッサの間で物理的および機能的に分散されてもよい。
本開示は、いくつかの実施形態に関連して説明されたが、本明細書に記載された特定の形態に限定されることは意図されていない。
さらに、特徴は、特定の実施形態に関連して説明されているように見えるかもしれないが、当業者は、説明された実施形態の様々な特徴が、本開示の技術を実装するのに適した任意の方法で組み合わされ得ることを認識するであろう。
【図１】
2021514155.tif 000006
【図２】
2021514155.tif 000007
【図３】
2021514155.tif 000008
【図４】
2021514155.tif 000009
【図５】
2021514155.tif 000010
【図６】
2021514155.tif 000011
【図７】
2021514155.tif 000012
【図８】
2021514155.tif 000013
【図９】
2021514155.tif 000014
【図１０】
2021514155.tif 000015
【図１１】
2021514155.tif 000016
【図１２】
2021514155.tif 000017
【図１３】
2021514155.tif 000018
【図１４】
2021514155.tif 000019
【図１５】
2021514155.tif 000020
【図１６】
2021514155.tif 000021
【国際調査報告】
2021514155.tif 000022
2021514155.tif 000023
2021514155.tif 000024
2021514155.tif 000025